(57)【要約】【課題】Ｄ級パワーアンプで容量性負荷を駆動する場合に、駆動周波数帯域における平坦な出力電圧周波数特性を確保し、かつ低損失駆動が可能な容量性負荷の駆動回路を提供する。【解決手段】Ｄ級パワーアンプの出力段１４の出力側にＬＣローパスフィルタ１５を設け、このＬＣローパスフィルタの出力を、出力トランスＴを通して負荷静電容量ＣＬに印加する。この際に、負帰還回路１６により、ＬＣローパスフィルタの後段から負帰還信号をフィードバックし、この負帰還信号と外部入力信号ＶＩＮとの誤差信号を誤差増幅回路１１により増幅し、該増幅された誤差信号を変調回路１２によりパルス変調（ＰＷＭ変調や、ＰＤＭ変調等）する。そして、ゲート駆動回路１３は、変調信号を基に、Ｄ級パワーアンプの出力段１４のスイッチング素子のゲート駆動信号を生成し、該スイッチング素子をＯＮ・ＯＦＦ制御する。【選択図】図１
2007181176.tif 000002
【特許請求の範囲】
【請求項１】
外部入力信号と、出力側からの負帰還信号との差を増幅する誤差増幅回路と、
前記誤差増幅回路から出力される信号をパルス変調する変調回路と、
電源電圧と接地電位との間、あるいは正負２つの電源電圧間をスイッチングする電力スイッチング回路と、
前記変調回路から出力される変調信号から、前記電力スイッチング回路を構成するスイッチング素子をスイッチング制御するゲート駆動信号を生成するゲート駆動回路と、
前記電力スイッチング回路の出力側に接続され、該電力スイッチング回路の出力信号に含まれるスイッチング・キャリア成分を除去する低域通過フィルタと、
前記低域通過フィルタの出力端に１次側巻線が接続され、低域通過フィルタの出力信号を昇圧する出力トランスと、
前記出力トランスの２次側巻線に並列接続される容量性負荷と、
前記低域通過フィルタの出力端から、前記誤差増回路の入力側に負帰還をかける負帰還回路と
を備えることを特徴とする容量性負荷の駆動回路。
【請求項２】
前記誤差増幅回路は、積分器を含んで構成されていること
を特徴とする請求項１に記載の容量性負荷の駆動回路。
【請求項３】
前記低域通過フィルタは、２次のＬＣローパスフィルタであること
を特徴とする請求項１または請求項２に記載の容量性負荷の駆動回路。
【請求項４】
前記負帰還回路は位相補償回路を含んで構成されていること
を特徴とする請求項１から３のいずれかに記載の容量性負荷の駆動回路。
【請求項５】
前記低域通過フィルタと、出力トランスと、負荷静電容量とによって形成される出力回路が、入力側から見て、２つの並列共振周波数ｆ１、ｆ３と、２つの直列共振周波数ｆ２、ｆ４とを有するように構成され（ｆ１＜ｆ２＜ｆ３＜ｆ４）、
前記共振周波数のうち、第１の並列共振周波数ｆ１が、容量性負荷の定格駆動周波数あるいは搬送波周波数ｆｄに一致または略一致するように出力回路を構成する各回路素子の定数が設定されていること
を特徴とする請求項１から４のいずれかに記載の容量性負荷の駆動回路。
【請求項６】
前記低域通過フィルタと、出力トランスと、負荷静電容量とによって形成される出力回路が、入力側から見て、２つの並列共振周波数ｆ１、ｆ３と、２つの直列共振周波数ｆ２、ｆ４とを有するように構成され（ｆ１＜ｆ２＜ｆ３＜ｆ４）、
前記共振周波数のうち、第１の直列共振周波数ｆ２が、容量性負荷の駆動周波数帯域の遮断周波数ｆｃと一致または略一致するように出力回路を構成する各回路素子の定数が設定されていること
を特徴とする請求項１から５のいずれかに記載の容量性負荷の駆動回路。
【請求項７】
前記低域通過フィルタと、出力トランスと、負荷静電容量とによって形成される出力回路が、入力側から見て、２つの並列共振周波数ｆ１、ｆ３と、２つの直列共振周波数ｆ２、ｆ４とを有するように構成され（ｆ１＜ｆ２＜ｆ３＜ｆ４）、
前記共振周波数のうち、第２の直列共振周波数ｆ４が、変調回路の変調周波数帯域よりも低域側に位置するように、上記出力トランスの漏洩インダクタンス及び、その他の回路定数が設定されていること
を特徴とする請求項１から６のいずれかに記載の容量性負荷の駆動回路。
【請求項８】
前記容量性負荷が静電型トランスデューサであって、該静電型トランスデューサは、
複数の孔を有する第１の電極と、
前記第１の電極の孔と対をなす複数の孔を有する第２の電極と、
導電層を有するとともに前記第１、第２の電極からなる一対の電極に挟まれ、該導電層に直流バイアス電圧が印加される振動膜とを有し、
前記出力トランスの２次側巻線はセンタータップを備えており、
前記出力トランスの２次側巻線の一方の端子は、前記静電型トランスデューサの第１の電極に、他方の端子は第２の電極にそれぞれ接続され、
前記出力トランスの２次側巻線のセンタータップを基準にして直流バイアス電圧が、前記振動膜の導電層に印加されるように構成されていること
を特徴とする請求項１から７のいずれかに記載の容量性負荷の駆動回路。
【請求項９】
外部入力信号と、出力側からの負帰還信号との差を増幅する誤差増幅回路と、
前記誤差増幅回路から出力される信号をパルス変調する変調回路と、
電源電圧と接地電位との間、あるいは正負２つの電源電圧間をスイッチングする電力スイッチング回路と、
前記変調回路から出力される変調信号から、前記電力スイッチング回路を構成するスイッチング素子をスイッチング制御するゲート駆動信号を生成するゲート駆動回路と、
前記電力スイッチング回路の出力側に接続され、該電力スイッチング回路の出力信号に含まれるスイッチング・キャリア成分を除去する低域通過フィルタと、
前記低域通過フィルタの出力端から、前記誤差増回路の入力側に負帰還をかける負帰還回路と、
前記低域通過フィルタの出力端に１次側巻線が接続され、低域通過フィルタの出力信号を昇圧する出力トランスと、
を備え、
前記出力トランスの２次側巻線に並列接続され、容量性負荷として駆動されるように構成されたこと
を特徴とする静電型トランスデューサ。
【請求項１０】
前記誤差増幅回路は、積分器を含んで構成されていること
を特徴とする請求項９に記載の静電型トランスデューサ。
【請求項１１】
前記低域通過フィルタは、２次のＬＣローパスフィルタであること
を特徴とする請求項９または請求項１０に記載の静電型トランスデューサ。
【請求項１２】
前記負帰還回路は位相補償回路を含んで構成されていること
を特徴とする請求項９から１１のいずれかに記載の静電型トランスデューサ。
【請求項１３】
前記低域通過フィルタと、出力トランスと、負荷静電容量とによって形成される出力回路が、入力側から見て、２つの並列共振周波数ｆ１、ｆ３と、２つの直列共振周波数ｆ２、ｆ４とを有するように構成され（ｆ１＜ｆ２＜ｆ３＜ｆ４）、
前記共振周波数のうち、第１の並列共振周波数ｆ１が、静電型トランスデューサの定格駆動周波数あるいは搬送波周波数ｆｄに一致または略一致するように出力回路を構成する各回路素子の定数が設定されていること
を特徴とする請求項９から１２のいずれかに記載の静電型トランスデューサ。
【請求項１４】
前記低域通過フィルタと、出力トランスと、負荷静電容量とによって形成される出力回路が、入力側から見て、２つの並列共振周波数ｆ１、ｆ３と、２つの直列共振周波数ｆ２、ｆ４とを有するように構成され（ｆ１＜ｆ２＜ｆ３＜ｆ４）、
前記共振周波数のうち、第１の直列共振周波数ｆ２が、静電型トランスデューサの駆動周波数帯域の遮断周波数ｆｃと一致または略一致するように出力回路を構成する各回路素子の定数が設定されていること
を特徴とする請求項９から１３のいずれかに記載の静電型トランスデューサ。
【請求項１５】
前記低域通過フィルタと、出力トランスと、負荷静電容量とによって形成される出力回路が、入力側から見て、２つの並列共振周波数ｆ１、ｆ３と、２つの直列共振周波数ｆ２、ｆ４とを有するように構成され（ｆ１＜ｆ２＜ｆ３＜ｆ４）、
前記共振周波数のうち、第２の直列共振周波数ｆ４が、変調回路の変調周波数帯域よりも低域側に位置するように、上記出力トランスの漏洩インダクタンス及び、その他の回路定数が設定されていること
を特徴とする請求項９から１４のいずれかに記載の静電型トランスデューサ。
【請求項１６】
前記静電型トランスデューサは、
複数の孔を有する第１の電極と、
前記第１の電極の孔と対をなす複数の孔を有する第２の電極と、
導電層を有するとともに前記第１、第２の電極からなる一対の電極に挟まれ、該導電層に直流バイアス電圧が印加される振動膜とを有し、
前記出力トランスの２次側巻線はセンタータップを備えており、
前記出力トランスの２次側巻線の一方の端子は、前記静電型トランスデューサの第１の電極に、他方の端子は第２の電極にそれぞれ接続され、
前記出力トランスの２次側巻線のセンタータップを基準にして直流バイアス電圧が、前記振動膜の導電層に印加されるように構成されていること
を特徴とする請求項９から１５のいずれかに記載の静電型トランスデューサ。
【請求項１７】
誤差増幅回路により外部入力信号と、出力側からの負帰還信号との差を増幅する手順と、
変調回路により前記誤差増幅回路から出力される信号をパルス変調する手順と、
電力スイッチング回路により電源電圧と接地電位との間、あるいは正負２つの電源電圧間をスイッチングする手順と、
ゲート駆動回路により前記変調回路から出力される変調信号から、前記電力スイッチング回路を構成するスイッチング素子をスイッチング制御するゲート駆動信号を生成する手順と、
前記電力スイッチング回路の出力側に接続された低域通過フィルタにより該電力スイッチング回路の出力信号に含まれるスイッチング・キャリア成分を除去する手順と、
負帰還回路により前記低域通過フィルタの出力端から、前記誤差増回路の入力側に負帰還をかける手順と、
前記低域通過フィルタの出力端に１次側巻線が接続され、かつ２次側巻線に静電型トランスデューサを容量性負荷として並列接続されてなる出力トランスにより前記低域通過フィルタの出力信号を昇圧する手順と、
前記低域通過フィルタと、出力トランスと、静電型トランスデューサとによって形成される出力回路が、入力側から見て、２つの並列共振周波数ｆ１、ｆ３と、２つの直列共振周波数ｆ２、ｆ４とを有するように設定するとともに（ｆ１＜ｆ２＜ｆ３＜ｆ４）、
前記共振周波数のうち、第１の並列共振周波数ｆ１が、前記静電型トランスデューサの定格駆動周波数あるいは搬送波周波数ｆｄに一致または略一致するように各回路素子の定数を設定する手順と、
を含むことを特徴とする回路定数の設定方法。
【請求項１８】
超音波周波数帯域の搬送波信号を可聴周波数帯の音響信号により変調した変調信号を、入力信号とし超音波周波数帯の信号で駆動される静電型トランスデューサを有し、
前記静電型トランスデューサが、
外部入力信号と、出力側からの負帰還信号との差を増幅する誤差増幅回路と、
前記誤差増幅回路から出力される信号をパルス変調する変調回路と、
電源電圧と接地電位との間、あるいは正負２つの電源電圧間をスイッチングする電力スイッチング回路と、
前記変調回路から出力される変調信号から、前記電力スイッチング回路を構成するスイッチング素子をスイッチング制御するゲート駆動信号を生成するゲート駆動回路と、
前記電力スイッチング回路の出力側に接続され、該電力スイッチング回路の出力信号に含まれるスイッチング・キャリア成分を除去する低域通過フィルタと、
前記低域通過フィルタの出力端から、前記誤差増回路の入力側に負帰還をかける負帰還回路と、
前記低域通過フィルタの出力端に１次側巻線が接続され、低域通過フィルタの出力信号を昇圧する出力トランスと、を備えるとともに、
前記出力トランスの２次側巻線に並列接続され、容量性負荷として駆動されるように構成されたこと
を特徴とする超音波スピーカ。
【請求項１９】
音響ソースから供給される音声信号により超音波周波数帯域の搬送波信号を変調し、該変調信号により静電型トランスデューサを駆動して可聴周波数帯の信号音を再生する超音波スピーカと、
映像を投影面に投影する投影光学系と、
を有し、
前記超音波スピーカを構成する静電型トランスデューサが、
外部入力信号と、出力側からの負帰還信号との差を増幅する誤差増幅回路と、
前記誤差増幅回路から出力される信号をパルス変調する変調回路と、
電源電圧と接地電位との間、あるいは正負２つの電源電圧間をスイッチングする電力スイッチング回路と、
前記変調回路から出力される変調信号から、前記電力スイッチング回路を構成するスイッチング素子をスイッチング制御するゲート駆動信号を生成するゲート駆動回路と、
前記電力スイッチング回路の出力側に接続され、該電力スイッチング回路の出力信号に含まれるスイッチング・キャリア成分を除去する低域通過フィルタと、
前記低域通過フィルタの出力端から、前記誤差増回路の入力側に負帰還をかける負帰還回路と、
前記低域通過フィルタの出力端に１次側巻線が接続され、低域通過フィルタの出力信号を昇圧する出力トランスと、を備えるとともに、
前記出力トランスの２次側巻線に並列接続され、容量性負荷として駆動されるように構成されたこと
を特徴とする表示装置。
【請求項２０】
音響ソースから供給される音声信号のうち第一の音域の信号により超音波周波数帯域の搬送波信号を変調し、該変調信号により静電型トランスデューサを駆動して可聴周波数帯の信号音を再生する超音波スピーカと、
前記音響ソースから供給される音声信号のうち第二の音域の信号を再生する再生用のスピーカと、を有し、
前記超音波スピーカにより音響ソースから供給される音声信号を再生し、スクリーン等の音波反射面近傍に仮想音源を形成するよう構成されており、
前記超音波スピーカを構成する静電型トランスデューサが、
外部入力信号と、出力側からの負帰還信号との差を増幅する誤差増幅回路と、
前記誤差増幅回路から出力される信号をパルス変調する変調回路と、
電源電圧と接地電位との間、あるいは正負２つの電源電圧間をスイッチングする電力スイッチング回路と、
前記変調回路から出力される変調信号から、前記電力スイッチング回路を構成するスイッチング素子をスイッチング制御するゲート駆動信号を生成するゲート駆動回路と、
前記電力スイッチング回路の出力側に接続され、該電力スイッチング回路の出力信号に含まれるスイッチング・キャリア成分を除去する低域通過フィルタと、
前記低域通過フィルタの出力端から、前記誤差増回路の入力側に負帰還をかける負帰還回路と、
前記低域通過フィルタの出力端に１次側巻線が接続され、低域通過フィルタの出力信号を昇圧する出力トランスと、を備えるとともに、
前記出力トランスの２次側巻線に並列接続され、容量性負荷として駆動されるように構成されたこと
を特徴とする指向性音響システム。
【発明の詳細な説明】
【技術分野】
【０００１】
本発明は、Ｄ級（デジタル）パワーアンプを用いた容量性負荷の駆動回路、静電型トランスデューサ、回路定数の設定方法、超音波スピーカ、表示装置、および指向性音響システムに関するものであり、特に、超音波帯域の搬送波を可聴帯域の音響信号によって変調した変調波を、容量性負荷である静電型トランスデューサから出力することによって、鋭い指向性を有する音を再生する超音波スピーカを駆動するのに好適なＤ級パワーアンプの回路構成に関する。
【背景技術】
【０００２】
超音波スピーカは、超音波帯域の搬送波を可聴帯域の音響信号によって変調した変調波を出力することで、鋭い指向性を有する音を再生することができるというものである。
超音波スピーカのトランスデューサ（トランスミッタ）には、一般的に圧電型のトランスデューサが用いられている。しかし、圧電型のトランスデューサは素子の鋭い共振特性を利用していることから、高い音圧が得られるが周波数帯域は非常に狭い。このため、圧電型のトランスデューサを用いた超音波スピーカでは再生可能な周波数帯域が狭く、ラウドスピーカと比較して再生音質が悪いという傾向がある。このため、これを改善するための様々な工夫が行われている（例えば、特許文献１を参照）。
【０００３】
これに対し、振動膜の電極と固定電極との間に静電力を作用させることによって振動膜を振動させ、音圧を発生させるタイプの静電型トランスデューサを用いた超音波スピーカがある（図１１に示す静電型超音波トランスデューサの例を参照）。静電型トランスデューサは、広い周波数範囲にわたって平坦な出力音圧特性が得られるという特徴がある。このため、静電型トランスデューサを用いた超音波スピーカは、圧電型のものよりも再生音質を向上させることができるという特長がある。
【０００４】
ところで、この静電型トランスデューサをアナログアンプで駆動する場合には、以下に説明するような問題点がある。
【０００５】
図２１は、シングルエンド・プッシュプル回路の例を示す図であり、これを基に、一般的なアナログパワーアンプで、抵抗性の負荷を駆動する場合と容量性の負荷を駆動する場合の損失の違いについて説明する。図２１に示すように、一般的なアナログパワーアンプは、出力段（電力増幅段）にＮＰＮトランジスタＴｒ１とＰＮＰトランジスタＴｒ２とを上下に縦続接続したシングルエンド・プッシュプル回路が使用されている。出力段トランジスタはＡＢ（Ｂ級）もしくはＡ級で動作させる。図２１（Ａ）は、抵抗性負荷である負荷抵抗ＲＬを駆動する場合の例を、図２１（Ｂ）は、容量性負荷である負荷静電容量（静電型トランスデューサ等）ＣＬを駆動する場合の例を示している。
【０００６】
図２２は、アナログパワーアンプの出力段トランジスタ（片側）で発生する電力損失の例を示す図であり、出力段トランジスタをＢ級動作させた場合の、図２１に示す上側トランジスタＴｒ１のコレクタ−エミッタ間電圧ＶＣＥとコレクタ電流ＩＣとの関係を示している。
【０００７】
抵抗性の負荷の場合には、出力電圧（負荷電圧）の位相と出力電流（負荷電流）の位相とはほぼ等しいため、トランジスタのコレクタ−エミッタ間電圧ＶＣＥとコレクタ電流ＩＣとの位相関係は、図２２（Ａ）に示すように、反転の関係になる。つまり、出力電流（ＩＣ）が最大の時にＶＣＥは最小になり、出力電流が最小の時にＶＣＥは最大になる。
【０００８】
これに対し、負荷静電容量ＣＬの場合には、出力電圧（負荷電圧）の位相と出力電流（負荷電流）の位相とは約９０度ずれるため、ＶＣＥとＩＣとの位相関係も図２２（Ｂ）に示すように、約９０度ずれる。この時、出力電流（ＩＣ）が最大の時にＶＣＥは最小にならずに大きな値を有するため、トランジスタで大きな損失ＷＱが発生してしまう。よって、抵抗性の負荷の場合よりも大きな電力損失がトランジスタで発生する。
【０００９】
このように、一般的なアナログパワーアンプで静電型トランスデューサ（容量性負荷）を駆動する場合、同じ出力電力においては、抵抗性の負荷よりも容量性の負荷の方が、出力段トランジスタでの電力損失が大きくなる。よって、静電型トランスデューサをアナログパワーアンプで駆動する場合には、抵抗性の負荷を駆動する場合よりも出力の大きいパワーアンプが要求されることになり、装置が大型化してしまうという問題がある。
【００１０】
一方で、最近、オーディオ用パワーアンプとして、出力段トランジスタをスイッチング動作させるＤ級パワーアンプが普及してきている（例えば、特許文献２を参照）。Ｄ級パワーアンプは、出力段素子にオン抵抗の小さいパワーＭＯＳＦＥＴを使用し、これをスイッチング動作させることによって、出力段素子での損失を小さくできることが特長である。このようにＤ級パワーアンプはアナログアンプと比較して出力段素子での損失が小さいため、アナログパワーアンプでは必須である放熱器を省略するかあるいは小型化することができる。よって、小型で高出力のアンプを実現することができる。このため、Ｄ級パワーアンプは小型化、低損失の要求される車載用のアンプや携帯端末用のアンプ、また出力チャンネル数の多いＡＶアンプなどに採用される例が多くなってきている。
【００１１】
図２３は、Ｄ級パワーアンプの一般的な構成例を示す図である。図２３に示すＤ級パワーアンプ４０においては、入力信号４１をＰＷＭ変調器４２によりＰＷＭ（Pulse Width Modulation）変調、もしくはＰＤＭ（Pulse Density Modulation）変調することによって、高周波数のデジタル信号に変調した後、ゲート駆動回路４３により、Ｄ級出力段４４を駆動する。Ｄ級出力段４４はオン抵抗の小さいパワーＭＯＳＦＥＴを用い、ゲート駆動回路４３によってパワーＭＯＳＦＥＴを飽和領域で動作させる、つまりスイッチング動作（ＯＮ／ＯＦＦ動作）させる。パワーＭＯＳＦＥＴがＯＦＦしている時は、電流がほとんど流れないため、パワーＭＯＳＦＥＴでの損失はほぼゼロ（０）になる。一方、パワーＭＯＳＦＥＴがＯＮしている時は、負荷に向かって電流が流れるが、ＯＮ時のパワーＭＯＳＦＥＴの抵抗、いわゆるＯＮ抵抗は数ｍΩ〜数十ｍΩ程度と非常に小さいため、大電流が流れてもパワーＭＯＳＦＥＴでの損失は非常に小さく抑えることができる。よって、アナログアンプと比較して、Ｄ級パワーアンプ４０では出力段素子で発生する損失が非常に小さいため、小型で高出力のアンプを実現することができる。
【００１２】
このように、Ｄ級出力段４４の出力はスイッチング波形（変調波形）になるため、スイッチング・キャリア成分をローパスフィルタで除去した後に、負荷に供給する必要がある。このフィルタには、電力損失の小さいＬＣローパスフィルタ（ＬＰＦ）４５が一般に用いられている。
【００１３】
ところで、ＬＣローパスフィルタは適切な値の負荷抵抗を接続して初めて有効なローパスフィルタの周波数特性を得ることができる。例えば図２４はカットオフ周波数を約５０ｋＨｚに設定した時の２次のＬＣローパスフィルタの周波数特性の一例を示したものであるが、負荷抵抗ＲＬの値に応じて、カットオフ周波数付近の応答が大きく異なっていることが分かる。
【００１４】
このように、ＬＣローパスフィルタに接続する負荷抵抗ＲＬの値が小さ過ぎると、周波数特性の鈍りが大きくなって駆動周波数帯域でのゲイン低下が大きくなり、逆に負荷抵抗ＲＬの値が大き過ぎると、周波数特性に大きなピークが生じるようになる。ラウドスピーカのインピーダンスは一般的に４〜８Ωであるため、一般的なオーディオ用Ｄ級パワーアンプでは、４〜８Ωの負荷が接続された場合に、出力周波数特性が平坦になるようにＬＣローパスフィルタが設計されている。
【００１５】
ラウドスピーカと異なり、静電型のトランスデューサはキャパシタと同様の構成をしているため、トランスデューサのインピーダンスとしては静電容量成分が支配的である。等価回路としては、負荷の静電容量成分に対して直列に接続されている抵抗成分、所謂等価直列抵抗（ＥＳＲ）は非常に小さく、並列に接続されている抵抗成分は非常に大きい。（インダクタンス成分も存在するが、微小値であるためここでは無視する。）
【００１６】
従って、静電型トランスデューサをＬＣローパスフィルタの出力につなぐと、ＬＣローパスフィルタの出力を開放したのと同等になるため、ＬＣローパスフィルタの出力はフィルタの共振周波数付近で非常に鋭いピークを有する応答を示す。このため、一般的なオーディオ用Ｄ級パワーアンプを使用し、静電型トランスデューサを負荷として駆動しようとすると（Ｄ級パワーアンプのＬＣローパスフィルタによってスイッチング・キャリア成分を除去しようとすると）、出力の周波数特性に大きなピークが生じてしまい（例えば、図２４におけるＲ＝１６Ωの曲線を参照）、平坦な周波数特性が得られないという問題がある上に、最悪の場合には動作が不安定になるという問題も生じる。特に、静電型トランスデューサを超音波スピーカとして使用する場合には、平坦な出力特性が得られないと再生音質の低下につながる。
【００１７】
静電型トランスデューサに適切な値の外付けの抵抗を接続すれば、周波数特性を平坦にすることはできるが、引き換えに抵抗で大きな電力損失が発生する。これは、損失が小さいという静電型トランスデューサの特長を殺すことになるため、望ましい方法ではない。
【特許文献１】特開２００１−８６５８７号公報
【特許文献２】特開２００２−１５８５５０号公報
【発明の開示】
【発明が解決しようとする課題】
【００１８】
上述したように、一般的なオーディオ用Ｄ級パワーアンプを使用し、静電型トランスデューサ（容量性負荷）を負荷として駆動しようとすると、出力の周波数特性に大きなピークが生じてしまい、平坦な周波数特性が得られないという問題がある上に、最悪の場合には動作が不安定になるという問題も生じる。特に、静電型トランスデューサを超音波スピーカとして使用する場合には、平坦な出力特性が得られないと再生音質の低下につながる。
【００１９】
静電型トランスデューサに適切な値の外付けの抵抗を接続すれば、周波数特性を平坦にすることはできるが、引き換えに抵抗で大きな電力損失が発生する。これは、損失が小さいという静電型トランスデューサの特長を殺すことになるため、望ましい方法ではない。
【００２０】
本発明はこのような問題を解決するためになされたもので、その目的は、Ｄ級パワーアンプを使用して容量性負荷を駆動する場合において、低損失でありながら、駆動周波数帯域において平坦な周波数特性を実現することができる、容量性負荷の駆動回路、静電型トランスデューサ、回路定数の設定方法、超音波スピーカ、表示装置、および指向性音響システムを提供することにある。
【課題を解決するための手段】
【００２１】
本発明は、上記課題を解決するためになされたものであり、本発明の容量性負荷の駆動回路は、外部入力信号と、出力側からの負帰還信号との差を増幅する誤差増幅回路と、前記誤差増幅回路から出力される信号をパルス変調する変調回路と、電源電圧と接地電位との間、あるいは正負２つの電源電圧間をスイッチングする電力スイッチング回路と、前記変調回路から出力される変調信号から、前記電力スイッチング回路を構成するスイッチング素子をスイッチング制御するゲート駆動信号を生成するゲート駆動回路と、前記電力スイッチング回路の出力側に接続され、該電力スイッチング回路の出力信号に含まれるスイッチング・キャリア成分を除去する低域通過フィルタと、前記低域通過フィルタの出力端に１次側巻線が接続され、低域通過フィルタの出力信号を昇圧する出力トランスと、前記出力トランスの２次側巻線に並列接続される容量性負荷と、前記低域通過フィルタの出力端から、前記誤差増回路の入力側に負帰還をかける負帰還回路とを備えることを特徴とする。
このような構成により、電力スイッチング回路（Ｄ級パワーアンプの出力段等）の出力側に低域通過フィルタ（ＬＣローパスフィルタ等）を設け、この低域通過フィルタの出力を、出力トランスを通して負荷静電容量（例えば、静電型トランスデューサ等）に印加する。このように、負荷静電容量の駆動回路を、ＬＣローパスフィルタと出力トランス及び負荷静電容量とで構成する出力フィルタと、電力スイッチング回路とを組み合わせて構成する。そして、低域通過フィルタの後段からの負帰還信号を入力側にフィードバックし、この負帰還信号と外部入力信号との誤差信号を誤差増幅回路により増幅し、この増幅された誤差信号を変調回路によりパルス変調（例えば、ＰＷＭ変調や、ＰＤＭ変調）する。
ゲート駆動回路では、変調回路で生成される変調信号を基に、電力スイッチング回路のスイッチング素子のゲート信号を生成し、該スイッチング素子をＯＮ・ＯＦＦ制御する。
これにより、負荷静電容量に負荷抵抗（ダンパ抵抗）を接続しなくても平坦な出力周波数特性を実現することができる。また、負荷抵抗を必要としないため、負荷抵抗での損失と、電力スイッチング回路の出力段素子で発生する損失とを同時に減らすことができ、負荷を含めた回路全体を非常に高効率で駆動することができる。また、ＬＣローパスフィルタの後ろ、出力トランスの前から負帰還をかけることにより、負荷静電容量が変動しても安定でばらつきの小さい平坦な出力周波数特性（通過特性）を実現することができる。従って、例えば、負荷静電容量として静電型トランスデューサを使用する場合には、広帯域に亘って静電型トランスデューサを安定的に駆動することができる。特に、本発明の駆動回路を超音波スピーカに使用する場合には、平坦な出力特性による再生音質の向上を図ることができる。
【００２２】
また、本発明の容量性負荷の駆動回路は、前記誤差増幅回路は、積分器を含んで構成されていることを特徴とする。
このような構成により、低域通過フィルタ（ＬＣローパスフィルタ等）の後段からの負帰還信号と外部入力信号との誤差信号を誤差増幅回路により増幅する際に、該誤差増幅回路に誤差信号の積分機能（積分器）を持たせる。
これにより、誤差信号に定常オフセット（定常偏差）を生じさせることなく、負帰還信号と外部入力信号とが一致するように制御することができる。
【００２３】
また、本発明の容量性負荷の駆動回路は、前記低域通過フィルタは、２次のＬＣローパスフィルタであることを特徴とする。
このような構成により、電力スイッチング回路（Ｄ級パワーアンプの出力段等）の後ろに設ける低域通過フィルタを２次のＬＣローパスフィルタとする。これにより、電力スイッチング回路（Ｄ級パワーアンプの出力段等）からの出力電力を消費することなく、スイッチング・キャリア成分を除去できる。また、２次のＬＣローパスフィルタの後ろから負帰還をかけることで、負帰還信号の位相回転量を１８０度以内に抑えることができるため、負帰還回路の発振を抑え、安定した負帰還制御を行うことができる。
【００２４】
また、本発明の容量性負荷の駆動回路は、前記負帰還回路は位相補償回路を含んで構成されていることを特徴とする。
このような構成により、負帰還回路には位相補償回路を設ける。これにより、負帰還の位相余裕を拡大し、安定した負帰還制御を行うことができる。
【００２５】
また、本発明の容量性負荷の駆動回路は、前記低域通過フィルタと、出力トランスと、負荷静電容量とによって形成される出力回路が、入力側から見て、２つの並列共振周波数ｆ１、ｆ３と、２つの直列共振周波数ｆ２、ｆ４とを有するように構成され（ｆ１＜ｆ２＜ｆ３＜ｆ４）、前記共振周波数のうち、第１の並列共振周波数ｆ１が、容量性負荷の定格駆動周波数あるいは搬送波周波数ｆｄに一致または略一致するように出力回路を構成する各回路素子の定数が設定されていることを特徴とする。
このような構成により、Ｄ級パワーアンプが駆動する負荷側の並列共振周波数ｆ１が、負荷静電容量の定格駆動周波数もしくは搬送波周波数に一致または略一致するように回路定数を設定する。
これにより、負荷静電容量の駆動周波数帯域における負荷側のインピーダンスを高くし、電力スイッチング回路（Ｄ級パワーアンプの出力段等）からの出力電流を減少させ、電力損失を小さくすることができる。
【００２６】
また、本発明の容量性負荷の駆動回路は、前記低域通過フィルタと、出力トランスと、負荷静電容量とによって形成される出力回路が、入力側から見て、２つの並列共振周波数ｆ１、ｆ３と、２つの直列共振周波数ｆ２、ｆ４とを有するように構成され（ｆ１＜ｆ２＜ｆ３＜ｆ４）、前記共振周波数のうち、第１の直列共振周波数ｆ２が、容量性負荷の駆動周波数帯域の遮断周波数ｆｃと一致または略一致するように出力回路を構成する各回路素子の定数が設定されていることを特徴とする。
このような構成により、第２の直列共振周波数ｆ２が、負荷静電容量の駆動周波数帯域（通過帯域）の遮断周波数と一致または略一致するように各回路定数を設定する。
これにより、負荷静電容量の駆動周波数帯域（通過帯域）よりも高い周波数成分の通過を効果的に阻止でき、出力ノイズを小さくすることができる。
【００２７】
また、本発明の容量性負荷の駆動回路は、前記低域通過フィルタと、出力トランスと、負荷静電容量とによって形成される出力回路が、入力側から見て、２つの並列共振周波数ｆ１、ｆ３と、２つの直列共振周波数ｆ２、ｆ４とを有するように構成され（ｆ１＜ｆ２＜ｆ３＜ｆ４）、前記共振周波数のうち、第２の直列共振周波数ｆ４が、変調回路の変調周波数帯域よりも低域側に位置するように、上記漏洩インダクタンス及び、その他の回路定数が設定されていることを特徴とする。
このような構成により、第２の直列共振周波数ｆ４が、変調回路の変調周波数帯域（電力スイッチング回路のスイッチング周波数帯域（変調用のキャリア周波数帯域））よりも低域側に位置するように各回路定数を設定する。
これにより、電力スイッチング回路（Ｄ級パワーアンプの出力段等）のスイッチング周波数帯域における前記低域通過フィルタの減衰傾度を大きくすることができるため、電力スイッチング回路出力におけるスイッチング・キャリア成分が十分に除去され、出力ノイズを小さくすることができる。
【００２８】
また、本発明の容量性負荷の駆動回路は、前記容量性負荷が静電型トランスデューサであって、該静電型トランスデューサは、複数の孔を有する第１の電極と、前記第１の電極の孔と対をなす複数の孔を有する第２の電極と、導電層を有するとともに前記第１、第２の電極からなる一対の電極に挟まれ、該導電層に直流バイアス電圧が印加される振動膜とを有し、前記出力トランスの２次側巻線はセンタータップを備えており、前記出力トランスの２次側巻線の一方の端子は、前記静電型トランスデューサの第１の電極に、他方の端子は第２の電極にそれぞれ接続され、前記出力トランスの２次側巻線のセンタータップを基準にして直流バイアス電圧が、前記振動膜の導電層に印加されるように構成されていることを特徴とする。
このような構成により、本発明の容量性負荷の駆動回路で駆動する負荷静電容量として、例えば、図１１に示すプッシュプル型の静電型トランスデューサを使用し、出力トランスＴの２次側巻線の一方の端子を前面側固定電極（第１の電極）に、他方の端子を背面側固定電極（第２の電極）にそれぞれ接続し、出力トランスＴの２次側巻線のセンタータップを基準にして直流バイアス電圧を振動膜の導電層（振動膜電極）に印加する。
これにより、プッシュプル型の静電型トランスデューサを広帯域に亘って、かつ低損失で駆動することができる。特に、静電型トランスデューサを超音波スピーカとして使用する場合には、平坦な出力特性による再生音質の向上を図ることができる。
【００２９】
また、本発明の静電型トランスデューサは、外部入力信号と、出力側からの負帰還信号との差を増幅する誤差増幅回路と、前記誤差増幅回路から出力される信号をパルス変調する変調回路と、電源電圧と接地電位との間、あるいは正負２つの電源電圧間をスイッチングする電力スイッチング回路と、前記変調回路から出力される変調信号から、前記電力スイッチング回路を構成するスイッチング素子をスイッチング制御するゲート駆動信号を生成するゲート駆動回路と、前記電力スイッチング回路の出力側に接続され、該電力スイッチング回路の出力信号に含まれるスイッチング・キャリア成分を除去する低域通過フィルタと、前記低域通過フィルタの出力端から、前記誤差増回路の入力側に負帰還をかける負帰還回路と、前記低域通過フィルタの出力端に１次側巻線が接続され、低域通過フィルタの出力信号を昇圧する出力トランスと、を備え、前記出力トランスの２次側巻線に並列接続され、容量性負荷として駆動されるように構成されたことを特徴とする。
このような構成により、電力スイッチング回路（Ｄ級パワーアンプの出力段等）の出力側に低域通過フィルタ（ＬＣローパスフィルタ等）を設け、この低域通過フィルタの出力を、出力トランスを通して静電型トランスデューサ（負荷静電容量）に印加する。このように、静電型トランスデューサの駆動回路を、ＬＣローパスフィルタと出力トランス及び負荷静電容量とで構成する出力フィルタと、電力スイッチング回路とを組み合わせて構成する。そして、低域通過フィルタの後段からの負帰還信号を入力側にフィードバックし、この負帰還信号と外部入力信号との誤差信号を誤差増幅回路により増幅し、この増幅された誤差信号を変調回路によりパルス変調（例えば、ＰＷＭ変調や、ＰＤＭ変調）する。ゲート駆動回路では、変調回路で生成される変調信号を基に、電力スイッチング回路のスイッチング素子のゲート信号を生成し、該スイッチング素子をＯＮ・ＯＦＦ制御する。
これにより、静電型トランスデューサに負荷抵抗（ダンパ抵抗）を接続しなくても平坦な出力周波数特性を実現することができる。また、負荷抵抗を必要としないため、負荷抵抗での損失と、電力スイッチング回路の出力段素子で発生する損失とを同時に減らすことができ、負荷を含めた回路全体を非常に高効率で駆動することができる。また、ＬＣローパスフィルタの後ろ、出力トランスの前から負帰還をかけることにより、静電型トランスデューサの負荷静電容量が変動しても安定でばらつきの小さい平坦な出力周波数特性（通過特性）を実現することができる。従って、広帯域に亘って静電型トランスデューサを安定的に駆動することができる。特に、本発明の静電型トランスデューサを超音波スピーカに使用する場合には、平坦な出力特性による再生音質の向上を図ることができる。
【００３０】
また、本発明の静電型トランスデューサは、前記誤差増幅回路は、積分器を含んで構成されていることを特徴とする。
このような構成により、低域通過フィルタ（ＬＣローパスフィルタ等）の後段からの負帰還信号と外部入力信号との誤差信号を誤差増幅回路により増幅する際に、該誤差増幅回路に誤差信号の積分機能（積分器）を持たせる。
これにより、誤差信号に定常オフセット（定常偏差）を生じさせることなく、負帰還信号と外部入力信号とが一致するように制御することができる。
【００３１】
また、本発明の静電型トランスデューサは、前記低域通過フィルタは、２次のＬＣローパスフィルタであることを特徴とする。
このような構成により、電力スイッチング回路（Ｄ級パワーアンプの出力段等）の後ろに設ける低域通過フィルタを２次のＬＣローパスフィルタとする。これにより、電力スイッチング回路（Ｄ級パワーアンプの出力段等）からの出力電力を消費することなく、スイッチング・キャリア成分を除去できる。また、２次のＬＣローパスフィルタの後ろから負帰還をかけることで、負帰還信号の位相回転量を１８０度以内に抑えることができるため、負帰還回路の発振を抑え、安定した負帰還制御を行うことができる。
【００３２】
また、本発明の静電型トランスデューサは、前記負帰還回路は位相補償回路を含んで構成されていることを特徴とする。
このような構成により、負帰還回路には位相補償回路を設ける。これにより、負帰還の位相余裕を拡大し、安定した負帰還制御を行うことができる。
【００３３】
また、本発明の静電型トランスデューサは、前記低域通過フィルタと、出力トランスと、負荷静電容量とによって形成される出力回路が、入力側から見て、２つの並列共振周波数ｆ１、ｆ３と、２つの直列共振周波数ｆ２、ｆ４とを有するように構成され（ｆ１＜ｆ２＜ｆ３＜ｆ４）、前記共振周波数のうち、第１の並列共振周波数ｆ１が、静電型トランスデューサの定格駆動周波数あるいは搬送波周波数ｆｄに一致または略一致するように出力回路を構成する各回路素子の定数が設定されていることを特徴とする。
このような構成により、Ｄ級パワーアンプが駆動する負荷側の並列共振周波数ｆ１が、静電型トランスデューサの定格駆動周波数もしくは搬送波周波数に略一致するように回路定数を設定する。
これにより、静電型トランスデューサの駆動周波数帯域における負荷側のインピーダンスを高くし、電力スイッチング回路（Ｄ級パワーアンプの出力段等）からの出力電流を減少させ、電力損失を小さくすることができる。
【００３４】
また、本発明の静電型トランスデューサは、前記低域通過フィルタと、出力トランスと、負荷静電容量とによって形成される出力回路が、入力側から見て、２つの並列共振周波数ｆ１、ｆ３と、２つの直列共振周波数ｆ２、ｆ４とを有するように構成され（ｆ１＜ｆ２＜ｆ３＜ｆ４）、前記共振周波数のうち、第１の直列共振周波数ｆ２が、静電型トランスデューサの駆動周波数帯域の遮断周波数ｆｃと一致または略一致するように出力回路を構成する各回路素子の定数が設定されていることを特徴とする。
このような構成により、第２の直列共振周波数ｆ２が、静電型トランスデューサの駆動周波数帯域（通過帯域）の遮断周波数と一致または略一致するように各回路定数を設定する。
これにより、静電型トランスデューサの駆動周波数帯域（通過帯域）よりも高い周波数成分の通過を効果的に阻止でき、出力ノイズを小さくすることができる。
【００３５】
また、本発明の静電型トランスデューサは、前記低域通過フィルタと、出力トランスと、負荷静電容量とによって形成される出力回路が、入力側から見て、２つの並列共振周波数ｆ１、ｆ３と、２つの直列共振周波数ｆ２、ｆ４とを有するように構成され（ｆ１＜ｆ２＜ｆ３＜ｆ４）、前記共振周波数のうち、第２の直列共振周波数ｆ４が、変調回路の変調周波数帯域よりも低域側に位置するように、上記出力トランスの漏洩インダクタンス及び、その他の回路定数が設定されていることを特徴とする。
このような構成により、第２の直列共振周波数ｆ４が、変調回路の変調周波数帯域（電力スイッチング回路のスイッチング周波数帯域（変調用のキャリア周波数帯域））よりも低域側に位置するように各回路定数を設定する。
これにより、電力スイッチング回路（Ｄ級パワーアンプの出力段等）のスイッチング周波数帯域における前記低域通過フィルタの減衰傾度を大きくすることができるため、電力スイッチング回路出力におけるスイッチング・キャリア成分が十分に除去され、出力ノイズを小さくすることができる。
【００３６】
また、本発明の静電型トランスデューサは、前記静電型トランスデューサは、複数の孔を有する第１の電極と、前記第１の電極の孔と対をなす複数の孔を有する第２の電極と、導電層を有するとともに前記第１、第２の電極からなる一対の電極に挟まれ、該導電層に直流バイアス電圧が印加される振動膜とを有し、前記出力トランスの２次側巻線はセンタータップを備えており、前記出力トランスの２次側巻線の一方の端子は、前記静電型トランスデューサの第１の電極に、他方の端子は第２の電極にそれぞれ接続され、前記出力トランスの２次側巻線のセンタータップを基準にして直流バイアス電圧が、前記振動膜の導電層に印加されるように構成されていることを特徴とする。
このような構成により、本発明の静電型超音波トランスデューサとして、例えば、図１１に示すプッシュプル型の静電型トランスデューサを使用し、出力トランスＴの２次側巻線の一方の端子を前面側固定電極（第１の電極）に、他方の端子を背面側固定電極（第２の電極）にそれぞれ接続し、出力トランスＴの２次側巻線のセンタータップを基準にして直流バイアス電圧を振動膜の導電層（振動膜電極）に印加する。
これにより、プッシュプル型の静電型トランスデューサを広帯域に亘って、かつ低損失で駆動することができる。特に、静電型トランスデューサを超音波スピーカとして使用する場合には、平坦な出力特性による再生音質の向上を図ることができる。
【００３７】
また、本発明の回路定数の設定方法は、誤差増幅回路により外部入力信号と、出力側からの負帰還信号との差を増幅する手順と、変調回路により前記誤差増幅回路から出力される信号をパルス変調する手順と、電力スイッチング回路により電源電圧と接地電位との間、あるいは正負２つの電源電圧間をスイッチングする手順と、ゲート駆動回路により前記変調回路から出力される変調信号から、前記電力スイッチング回路を構成するスイッチング素子をスイッチング制御するゲート駆動信号を生成する手順と、前記電力スイッチング回路の出力側に接続された低域通過フィルタにより該電力スイッチング回路の出力信号に含まれるスイッチング・キャリア成分を除去する手順と、負帰還回路により前記低域通過フィルタの出力端から、前記誤差増回路の入力側に負帰還をかける手順と、前記低域通過フィルタの出力端に１次側巻線が接続され、かつ２次側巻線に静電型トランスデューサを容量性負荷として並列接続されてなる出力トランスにより前記低域通過フィルタの出力信号を昇圧する手順と、前記低域通過フィルタと、出力トランスと、静電型トランスデューサとによって形成される出力回路が、入力側から見て、２つの並列共振周波数ｆ１、ｆ３と、２つの直列共振周波数ｆ２、ｆ４とを有するように設定するとともに（ｆ１＜ｆ２＜ｆ３＜ｆ４）、前記共振周波数のうち、第１の並列共振周波数ｆ１が、前記静電型トランスデューサの定格駆動周波数あるいは搬送波周波数ｆｄに一致または略一致するように各回路素子の定数を設定する手順とを含むことを特徴とする。
このような手順により、Ｄ級パワーアンプが駆動する負荷側の並列共振周波数ｆ１が、静電型トランスデューサの定格駆動周波数もしくは搬送波周波数に略一致するように回路定数を設定する。
これにより、静電型トランスデューサの駆動周波数帯域における負荷側のインピーダンスを高くし、電力スイッチング回路（Ｄ級パワーアンプの出力段等）からの出力電流を減少させ、電力損失を小さくすることができる。
【００３８】
また、本発明の超音波スピーカは、超音波周波数帯域の搬送波信号を可聴周波数帯の音響信号により変調した変調信号を、入力信号とし超音波周波数帯の信号で駆動される静電型トランスデューサを有し、前記静電型トランスデューサが、外部入力信号と、出力側からの負帰還信号との差を増幅する誤差増幅回路と、前記誤差増幅回路から出力される信号をパルス変調する変調回路と、電源電圧と接地電位との間、あるいは正負２つの電源電圧間をスイッチングする電力スイッチング回路と、前記変調回路から出力される変調信号から、前記電力スイッチング回路を構成するスイッチング素子をスイッチング制御するゲート駆動信号を生成するゲート駆動回路と、前記電力スイッチング回路の出力側に接続され、該電力スイッチング回路の出力信号に含まれるスイッチング・キャリア成分を除去する低域通過フィルタと、前記低域通過フィルタの出力端から、前記誤差増回路の入力側に負帰還をかける負帰還回路と、前記低域通過フィルタの出力端に１次側巻線が接続され、低域通過フィルタの出力信号を昇圧する出力トランスと、を備えるとともに、前記出力トランスの２次側巻線に並列接続され、容量性負荷として駆動されるように構成されたことを特徴とする。
このような構成により、超音波周波数帯のキャリア波を可聴周波数帯の信号波により変調し、この変調された信号を、負帰還制御付きの静電型トランスデューサの駆動回路（Ｄ級パワーアンプ）に入力し、静電型トランスデューサを駆動する。
これにより、超音波スピーカに静電型トランスデューサを使用し、この静電型トランスデューサを、Ｄ級パワーアンプで駆動する場合に、該超音波スピーカを広帯域に亘って、かつ低損失で安定的に駆動することができ、超音波スピーカにおける再生音質の向上を図ることができる。
【００３９】
また、本発明の表示装置は、音響ソースから供給される音声信号により超音波周波数帯域の搬送波信号を変調し、該変調信号により静電型トランスデューサを駆動して可聴周波数帯の信号音を再生する超音波スピーカと、映像を投影面に投影する投影光学系とを有し、前記超音波スピーカを構成する静電型トランスデューサが、外部入力信号と、出力側からの負帰還信号との差を増幅する誤差増幅回路と、前記誤差増幅回路から出力される信号をパルス変調する変調回路と、電源電圧と接地電位との間、あるいは正負２つの電源電圧間をスイッチングする電力スイッチング回路と、前記変調回路から出力される変調信号から、前記電力スイッチング回路を構成するスイッチング素子をスイッチング制御するゲート駆動信号を生成するゲート駆動回路と、前記電力スイッチング回路の出力側に接続され、該電力スイッチング回路の出力信号に含まれるスイッチング・キャリア成分を除去する低域通過フィルタと、前記低域通過フィルタの出力端から、前記誤差増回路の入力側に負帰還をかける負帰還回路と、前記低域通過フィルタの出力端に１次側巻線が接続され、低域通過フィルタの出力信号を昇圧する出力トランスと、を備えるとともに、前記出力トランスの２次側巻線に並列接続され、容量性負荷として駆動されるように構成されたことを特徴とする。
上記構成の表示装置では、本発明の静電型トランスデューサで構成された超音波スピーカを使用する。そして、この超音波スピーカにより、音響ソースから供給される音声信号を再生する。
これにより、表示装置において、平坦な出力周波数特性を有し、低損失での駆動が可能な超音波スピーカを使用することができる。このため、音響信号を十分な音圧と広帯域特性を持って、スクリーン等の音波反射面近傍に形成される仮想音源から発せられるように再生できる。また、音響信号の再生範囲の制御も容易に行えるようになる。
【００４０】
また、本発明の指向性音響システムは、音響ソースから供給される音声信号のうち第一の音域の信号により超音波周波数帯域の搬送波信号を変調し、該変調信号により静電型トランスデューサを駆動して可聴周波数帯の信号音を再生する超音波スピーカと、前記音響ソースから供給される音声信号のうち第二の音域の信号を再生する再生用のスピーカと、を有し、前記超音波スピーカにより音響ソースから供給される音声信号を再生し、スクリーン等の音波反射面近傍に仮想音源を形成するよう構成されており、前記超音波スピーカを構成する静電型トランスデューサが、外部入力信号と、出力側からの負帰還信号との差を増幅する誤差増幅回路と、前記誤差増幅回路から出力される信号をパルス変調する変調回路と、電源電圧と接地電位との間、あるいは正負２つの電源電圧間をスイッチングする電力スイッチング回路と、前記変調回路から出力される変調信号から、前記電力スイッチング回路を構成するスイッチング素子をスイッチング制御するゲート駆動信号を生成するゲート駆動回路と、前記電力スイッチング回路の出力側に接続され、該電力スイッチング回路の出力信号に含まれるスイッチング・キャリア成分を除去する低域通過フィルタと、前記低域通過フィルタの出力端から、前記誤差増回路の入力側に負帰還をかける負帰還回路と、前記低域通過フィルタの出力端に１次側巻線が接続され、低域通過フィルタの出力信号を昇圧する出力トランスと、を備えるとともに、前記出力トランスの２次側巻線に並列接続され、容量性負荷として駆動されるように構成されたことを特徴とする。
上記構成の指向性音響システムでは、本発明の静電型トランスデューサで構成された超音波スピーカを使用する。そして、この超音波スピーカにより、音響ソースから供給される音声信号のうち中高音域（第一の音域）の音声信号を再生する。また、音響ソースから供給される音声信号のうち低音域（第二の音域）の音声信号は低音再生用スピーカにより再生する。
したがって、指向性音響システムにおいて、Ｄ級パワーアンプで駆動されるとともに、平坦な出力周波数特性を有し、低損失での駆動が可能な超音波スピーカを使用することができる。このため、中高音域の音響を十分な音圧と広帯域特性を持って、スクリーン等の音波反射面近傍に形成される仮想音源から発せられるように再生できる。また、低音域の音響は、音響システムに備えられた低音再生用スピーカから直接出力されるので、低音域の補強ができ、より臨場感の高い音場環境を創生できる。
【発明を実施するための最良の形態】
【００４１】
次に本発明を実施するための最良の形態について図面を参照して説明する。
［第１の実施の形態］
図１は、本発明の容量性負荷の駆動回路の構成例を示す図である。また、図２は各部の動作波形の一例を示したものである。
【００４２】
図１に示すように、本発明の容量性負荷の駆動回路１は、誤差増幅回路１１、変調回路１２、ゲート駆動回路１３、Ｄ級出力段１４、ＬＣローパスフィルタ（ＬＰＦ）１５、負帰還回路１６、出力トランスＴ、および負荷静電容量ＣＬを基本構成要素としている。
【００４３】
誤差増幅回路１１は、外部から入力される信号ＶＩＮと、負帰還回路（後述）からの信号との差を増幅するもので、誤差増幅回路１１の非反転入力端子（＋）に外部入力信号ＶＩＮが、反転入力端子（−）に負帰還回路１６からのフィードバック信号がそれぞれ入力されている。
【００４４】
誤差増幅回路１１で増幅された誤差信号ＶΔは、変調回路１２によりデジタル信号である変調信号ＶＭに変換される。変調方式としては、例えばＰＷＭ（Pulse Width Modulation）変調、あるいはＰＤＭ（Pulse Density Modulation）変調が用いられる。
【００４５】
誤差増幅回路１１から出力されるアナログ信号の振幅情報を、ＰＷＭ変調ではアナログ信号の周期よりも短い周期のパルスのパルス幅に変調し、ＰＤＭ変調ではアナログ信号の周期よりも短い周期のパルスの密度に変調する。なお、図２に示した変調信号ＶＭは、ＰＤＭ変調の一方式であるΔΣ変調波形を行った場合の例である。変調回路１２については、一般に知られている回路構成を利用できるので、具体的な説明は省略する。
【００４６】
変調回路１２で変調された変調信号ＶＭは、ゲート駆動回路１３によってＤ級出力段１４を駆動できるレベルのゲート駆動信号に変換され、Ｄ級出力段１４に供給される。Ｄ級出力段１４は２個のＮｃｈパワーＭＯＳＦＥＴによって、上側スイッチング素子と下側スイッチング素子が構成され、ゲート駆動回路から出力されるゲート駆動信号に応じて正負両電源間をスイッチングする。
【００４７】
上記ゲート駆動回路１３は、変調回路１２で変調された変調信号（ＰＷＭ信号もしくはＰＤＭ信号）ＶＭのレベルを、Ｄ級出力段１４を構成するパワーＭＯＳＦＥＴのゲートを駆動できるレベルにシフトするレベルシフト回路（図示せず）と、Ｄ級出力段の上側スイッチング素子と下側スイッチング素子のＯＮ／ＯＦＦ駆動タイミングをそれぞれずらすデッドタイム生成回路（図示せず）と、下側ゲート駆動信号生成回路（図示せず）及び上側ゲート駆動信号生成回路（図示せず）と、上側ゲート駆動信号生成回路に接続されるフローテイング電源（図示せず）とから構成され、Ｄ級出力段を構成する上側のＮｃｈパワーＭＯＳＦＥＴのゲートを駆動する信号と下側のＮｃｈパワーＭＯＳＦＥＴのゲートを駆動する信号をそれぞれ生成し、出力する。
【００４８】
なお、本実施の形態例におけるＤ級出力段は、上下ともＮｃｈのパワーＭＯＳＦＥＴを使用した構成で示しているため、上側ゲート駆動信号は、上側パワーＭＯＳＦＥＴのソース電位すなわちＤ級出力段の出力電圧ＶＳを基準に、上記フローテイング電源電圧ＶＦがプラスされた電圧が出力されるように構成されている。図２においては、上側パワーＭＯＳＦＥＴのゲート電圧ＶＧＨ（図示せず）と、ソース電圧（Ｄ級出力電圧）ＶＳとの差電圧であるゲート−ソース間電圧ＶＧＳＨの波形を示しており、上側パワーＭＯＳＦＥＴは、ＶＧＳＨがＶＦの時（ＶＧＨがＶＦ＋ＶＳの時）にオンし、ＶＧＳＨが０の時（ＶＧＨがＶＳの時）にオフする。
【００４９】
一方、下側ゲート信号は、下側パワーＭＯＳＦＥＴのソース電位すなわち負電源電圧−ＶＤＤを基準に、下側ゲート用電源電圧ＶＧがプラスされた電圧が出力されるように構成されている。図２においては、下側パワーＭＯＳＦＥＴのゲート電圧ＶＧＬと、負電源電圧−ＶＤＤとの差電圧であるゲート−ソース間電圧ＶＧＳＬの波形を示しており、下側パワーＭＯＳＦＥＴは、ＶＧＳＬがＶＧの時（ＶＧＬがＶＧ−ＶＤＤの時）にオンし、ＶＧＳＬが０の時（ＶＧが−ＶＤＤの時）にオフする。
【００５０】
上側ゲート駆動信号と下側ゲート駆動信号とは位相が１８０度反転した関係にあり、上下のパワーＭＯＳＦＥＴが同時にオンすることのないように上下のゲート駆動信号は生成される。また、上記デッドタイム生成回路によって、パワーＭＯＳＦＥＴのスイッチング速度に合わせて、上側ゲート駆動信号の立ち上がり（立ち下がり）と下側ゲート駆動信号の立ち下がり（立ち上がり）のタイミングをずらし（遅延を挿入し）、スイッチング遷移時に上下のパワーＭＯＳＦＥＴが同時にオンすることのないように制御される。なお、ゲート駆動回路の詳細構成については、公知の回路構成により実現できるため、詳細な説明は省略する。
【００５１】
Ｄ級出力段からの出力電圧ＶＳは、２次のＬＣローパスフィルタで、変調波形のスイッチング・キャリア成分が除去（減衰）される。
【００５２】
ＬＣローパスフィルタを通過した信号ＶＯは、出力トランスＴを介して昇圧された後、負荷静電容量ＣＬに印加される。この時、負荷静電容量ＣＬと出力トランスＴの巻線インダクタンスとによってもフィルタが形成されるため、上記ＬＣローパスフィルタで除去しきれなかったスイッチング・キャリア成分が、ここで更に減衰されて負荷に供給される（ＶＣＬ、ＩＣＬ）。同時に、ＬＣローパスフィルタを通過した信号ＶＯは、負帰還回路１６を経由して、上記誤差増幅回路１１の反転入力端子（−）にフィードバックされる。
【００５３】
図２は、図１に示す駆動回路内の各部の動作波形を示しており、
ＶＩＮは、駆動回路への外部入力信号の電圧波形を示し、
ＶΔは、誤差増幅回路からの出力電圧波形を示し、
ＶＭは、ΔΣ変調信号電圧波形（論理レベルで表示）を示し、
ＶＧＳＨは、上側パワーＭＯＳＦＥＴゲートーソース間電圧波形を示し、
ＶＧＳＬは、下側パワーＭＯＳＦＥＴゲート−ソース間電圧波形を示し、
ＶＳは、Ｄ級出力段の出力電圧波形を示し、
ＶＯは、ＬＣローパスフィルタ出力電圧波形（出力トランス１次側電圧波形）を示し、
ＶＣＬは、負荷静電容量ＣＬの端子電圧波形を示し、
ＩＣＬは、負荷静電容量ＣＬの電流波形を示している。
【００５４】
次に、本発明の駆動回路における回路定数の設定方法について説明する。
まず、ＬＣローパスフィルタ以降の出力回路の定数について決定する。
【００５５】
図３は、出力回路部分の等価回路を示す図であり、負荷静電容量ＣＬを出力トランスＴの１次側に換算したものをＣＬ１、出力トランスＴの２次側巻線を短絡した時の１次側巻線のインダクタンスを漏洩インダクタンスＬＬ、出力トランスＴの相互インダクタンスをＭとすると、ＬＣローパスフィルタ以降の出力回路の等価回路は、図３のように表せる。なお、回路の抵抗成分は十分小さいとして、ここでは無視している。
【００５６】
図３の等価回路の入力側から見たインピーダンスＺは、角周波数をωとすると、
【００５７】
【数１】
2007181176.tif 000003
【００５８】
となる。ここで、
【００５９】
【数２】
2007181176.tif 000004
【００６０】
である。なお、出力トランスＴの１次側巻線の自己インダクタンスをＬ１、出力トランスＴの１次側巻線と２次側巻線の結合係数をｋとすると、「Ｍ＝Ｌ１−ＬＬ＝ｋＬ１」である。
また、上式で表されるＺの根は４個存在する。
分母の根である、
【００６１】
【数３】
2007181176.tif 000005
【００６２】
は、図３の等価回路の極となり、並列共振角周波数（反共振角周波数）を表す。
【００６３】
また、分子の根である
【００６４】
【数４】
2007181176.tif 000006
【００６５】
は、図３の等価回路の零点となり、直列共振角周波数を表す。
【００６６】
例えば、出力回路の各回路定数が、Ｌ＝１０μＨ、Ｃ＝０．４７μＦ、
Ｌ１＝２０μＨ、ＬＬ＝０．４μＨ、ＣＬ１＝１μＦ、である時、
上式から、それぞれの共振周波数ｆ１〜ｆ４は、
ｆ１＝２９．４ｋＨｚ、ｆ２＝５０．１ｋＨｚ、ｆ３＝３１５ｋＨｚ、
ｆ４＝３２１ｋＨｚ、となる。
【００６７】
図４は、定電圧源（出力インピーダンス０．１Ω）から信号を供給した際の、図３に示す回路のゲイン周波数特性曲線を示しており、図４（Ｂ）に示すように、回路電流（定電圧源の出力電流）は、並列共振周波数ｆ１、ｆ３において極小値を、直列共振周波数ｆ２、ｆ４において極大値をとる。
【００６８】
本発明では、容量性負荷の定格駆動周波数あるいは搬送波周波数が、並列共振周波数ｆ１とほぼ等しくなるように上記出力回路の各素子の定数を設定する。このようにすることで、定格駆動周波数では、トランス１次側に流れる電流を抑えることができ、損失を小さくすることができる。
【００６９】
また、図４（Ａ）に示すように、負荷静電容量ＣＬ１の電圧は、ｆ２からｆ３にかけては、１２ｄＢ／octaveの傾きで減衰し、ｆ４から高域側は２４ｄＢ／octaveの傾きで減衰する。本発明では、Ｄ級出力段のスイッチング周波数は直列共振周波数ｆ４よりも高域に設定する。このようにすることで、スイッチング周波数帯域では、より大きな減衰率が得られ、出力の高調波歪みをより低減することができる。
【００７０】
ところで、図３に示す回路では、回路中に抵抗成分が存在しない（もしくは無視できるほど小さい）ため、ゲインの周波数特性には、図４に示すように鋭いピークが存在し、平坦な通過特性とはならない。これでは、平坦な通過特性が要求されるアンプとしての性能を満足できない。このため、通常は負荷抵抗を接続することによってダンパの特性を持たせ、周波数特性をなだらかにする。
【００７１】
図５は、４Ωの抵抗を負荷静電容量ＣＬ１と直列に接続した場合のゲイン−位相特性であり、負荷抵抗を接続することによって、ピークの存在しない平坦な通過特性にすることができる。通常のオーディオアンプでは、ラウドスピーカが駆動負荷であり、一般に数Ω程度の抵抗成分を有する。この抵抗成分により、負荷自体が強力なダンパの特性を有するため、平坦な通過特性が実現されている。
【００７２】
これに対し本発明においては、駆動対象は静電容量ＣＬ１であり、その(直列)抵抗成分は非常に小さい。抵抗を接続することによって通過特性は平坦になるものの、その引き換えに抵抗で電力損失が発生する。特に負荷静電容量が大きくなるほど、あるいは駆動周波数が高くなるほど、負荷インピーダンスは小さくなり、負荷にはより大きな電流が流れる。すると抵抗での電力損失が非常に大きくなり、効率が著しく低下してしまう。静電型トランスデューサのような容量性負荷は、デバイス自体の損失が非常に小さいという特長があるが、上記のように負荷抵抗を接続すると、その特長を殺してしまうことになり、好ましくない。
【００７３】
本発明ではこの間題を解消するため、（大きな直列）負荷抵抗を接続せずに、負帰還制御を行うことによって、低損失でありながら、平坦な通過特性を実現する。このため、ＬＣローパスフィルタの後段から負帰還をかけるように構成されている。
【００７４】
上記出力回路においては、２次のＬＣローパスフィルタによって、位相が１８０度回転し、出力トランスＴと負荷静電容量ＣＬ１によって、更に位相が１８０度回転する。安定な負帰還をかけるため、２次のＬＣローパスフィルタの後ろ、出力トランスＴの前から負帰還をかけることで、出力回路部分での位相回転量を１８０度以内にまず抑える。この状態では負帰還をかけた際の位相余裕がまだ小さいため、負帰還回路内にさらに位相補償（位相進み）回路を追加して、位相余裕を拡大し、安定な負帰還がかかるように構成する。
【００７５】
図６は、本発明の容量性負荷の駆動回路の具体的な構成例を示す図であり、位相補償を行った構成ブロック図を示している。また、図７は、その回路構成と定数設定の一例を示したものである。
【００７６】
図６に示す誤差増幅回路１１の後の積分器１８は、増幅器１９と合わせてＰＩ（比例積分）制御系を構成し、出力に生じるＤＣオフセット（定常偏差）を抑えるためのものである。誤差増幅回路１１と積分器１８及び増幅器１９とで構成される比例積分回路１１Ａは、実際の回路では、例えば図７に示すように、誤差増幅を行うと同時に比例ゲインを与えるオペアンプ及び抵抗４．７ｋΩ、２２０ｋΩと、積分を行う抵抗２２ｋΩ、キャパシタ０．１μＦとで構成することができる。
負帰還回路１６と位相補償回路１７は、例えば図７に示すように、ＲＣ並列回路１６ａによって構成することができる。
【００７７】
図７に示す例では、合成静電容量が１０ｎＦの静電型トランスデューサ（負荷静電容量ＣＬ）を、負荷電圧２５０Ｖ、駆動周波数帯域４０ｋＨｚ〜８０ｋＨｚで駆動する際の回路定数の一例を示している。Ｄ級出力段のスイッチング周波数は約１ＭＨｚで考える。
【００７８】
負荷静電容量１０ｎＦとトランス２次側巻線自己インダクタンスＬ２とで形成される共振回路の共振周波数が、駆動周波数帯域の中心周波数６０ｋＨｚ程度になるようなＬ２の値は約８５０μＨである。
信号入力１Ｖの時に出力２５０Ｖを得るための電圧ゲインは４８ｄＢであり、このうち、プリドライブ段で８ｄＢ、Ｄ級出力段で２０ｄＢ、トランスで２０ｄＢと配分するようにすると、トランスの１次側巻線の自己インダクタンスは８．５μＨとなる。
【００７９】
カットオフ周波数を約８０ｋＨｚとし、上記出力回路の共振周波数のうち、ｆ３、ｆ４が１ＭＨｚよりも小さくなるように、上記出力回路の式を用いて、ＬＣローパスフィルタの定数Ｌ、Ｃ、及びトランスの結合係数ｋの値を設定すると、Ｌ＝４μＨ、Ｃ＝０．４７μＦ、ｋ＝０．９８の時に、
ｆ１＝４５．２ｋＨｚ、ｆ２＝７８．４ｋＨｚ、ｆ３＝４８３ｋＨｚ、
ｆ４＝４９３ｋＨｚ、となる。
【００８０】
上記出力回路に対して、誤差増幅器のゲインと負帰還ゲイン、及び位相補償容量を図７に示すように設定すると、図８に示すループゲイン及び位相特性が得られ、図９に示す閉ループ特性が得られる。
【００８１】
図８に示すように、位相余裕、ゲイン余裕は十分に確保されており、安定な負帰還特性となっている。２次のＬＣローパスフィルタの後段から負帰還ループを取り出しているので、ＬＣローパスフィルタとＬＣローパスフィルタ後段の共振回路のインピーダンスの影響を受け、ループゲインの特性には鋭いピークが存在している。負帰還をかけない場合や、通常のオーディオ向けＤ級アンプのようにＬＣローパスフィルタの前から負帰還をかけた場合には、負荷抵抗を接続しない限り、この鋭い共振特性が出力電圧の特性に直接現れてしまう。しかし本発明においては、この共振特性を利用して負帰還をかけるので、共振ピークの位置ではループゲイン、即ち制動力がより大きくなり、共振のピークをより打ち消す方向に制御力が作用する。従って、図９に示すように閉ループ特性にはピークは存在せず、負荷抵抗が無いにも関わらず、平坦な出力特性が得られていることが分かる。さらに、図１０に示すように、負荷静電容量が大きく変動（５ｎＦ〜１５ｎＦ）した際にも、出力特性は大きく変動しておらず、大きな負荷変動に対しても安定で平坦な出力特性が実現できる。
【００８２】
また、出力トランスＴのインダクタンス成分と負荷静電容量成分によって、トランス２次側にもＬＣローパスフィルタが形成されるため、スイッチング・キャリアの除去性能は、２次のＬＣローパスフィルタのみの構成よりも高くなる。図９の例では１ＭＨｚで約−１０ｄＢの減衰性能が得られている。
【００８３】
また、出力トランスＴの漏洩インダクタンスＬＬを大きくする（結合係数を小さくする）ことによって、共振周波数ｆ３、ｆ４の値をより小さくするように設定することもできる。
【００８４】
出力トランスＴの漏洩インダクタンスを大きくすると、負荷静電容量の変動に対する出力周波数特性の変動は大きくなるものの、共振周波数ｆ３、ｆ４の位置がより低域側に移動するため、スイッチング周波数帯域のゲインをより小さく（減衰をより大きく）することができる。従って、スイッチング・キャリアの除去性能をより高め、出力高調波歪みをより小さくすることができる。あるいは同じスイッチング・キャリア成分の除去性能でなら、スイッチング周波数をより低く設定することができるため、出力段素子でのスイッチング損失をより小さくし、より高効率な回路として構成することができるようになる。
【００８５】
以上に述べたような容量性負荷の駆動回路は、静電型トランスデューサを使用した超音波スピーカの駆動回路として用いるのに適している。超音波スピーカは、超音波帯域の搬送波を可聴帯域の音響信号によって変調した変調波を出力することで、鋭い指向性を有する音を再生することができるというものである。
【００８６】
静電型トランスデューサは比較的広帯域な音圧−周波数特性を有するため、静電型超音波トランスデューサを超音波スピーカのトランスデューサとして使用すると、狭帯域な圧電型トランスデューサよりも再生音質を向上させることができる。
【００８７】
図１１に、超音波スピーカとして使用するのに適した静電型超音波トランスデューサの構造の一例を示す。
図１１（Ａ）は、静電型超音波トランスデューサ３の断面を示しており、導電層（振動膜電極）２２１を有する振動膜２２と、該振動膜２２のそれぞれの面に対向して設けられた前面側固定電極（第１の電極）２０Ａ及び背面側固定電極（第２の電極）２０Ｂからなる一対の固定電極とを有している（前面側固定電極２０Ａ及び背面側固定電極２０Ｂの両方を指す場合は固定電極２０と呼ぶ）。振動膜２２は図１１（Ａ）に示すように電極を形成する導電層（振動膜電極）２２Ａを絶縁膜２２Ｂで挟むように形成してもよいし、振動膜全体を導電性材料で形成するようにしてもよい。
【００８８】
また、振動膜を扶持する前面側固定電極２０Ａには複数の貫通孔２４Ａが設けられており、かつ背面側固定電極２０Ｂには前面側固定電極２０Ａに設けた各貫通孔２４Ａに対向する位置に同一形状の貫通孔２４Ｂが設けられている（貫通孔２４Ａ及び貫通孔２４Ｂの両方を指す場合は貫通孔２４と呼ぶ）。前面側固定電極２０Ａと背面側固定電極２０Ｂは、それぞれ支持部材２１によって振動膜２２から所定のギャップを隔てて支持されており、図１１（Ａ）に示すように振動膜２２と固定電極２０とが一部空隙を介して対向するように支持部材は形成されている。図１１（Ｂ）は、静電型超音波トランスデューサ３の片側平面外観を示したもので（固定電極２０の一部を切り欠いた状態）、上記複数の貫通孔２４がハニカム状に配列されている。図１１（Ｃ）は、前記支持部材が接合されている固定電極の平面図であり、丁度トランスデューサの振動膜側から固定電極側を見た状態を示している。支持部材２１は絶縁材で構成され、例えばプリント基板にレジスト印刷する要領で、固定電極２０の表面（振動膜に対向する側）上に絶縁材をパターン印刷することによって形成することができる。
【００８９】
上記の構成により、静電型超音波トランスデューサの前面側固定電極２０Ａと背面側固定電極２０Ｂとには、振幅が等しく、位相が互いに反転した交流信号２８Ａ、２８Ｂが印加される。また、振動膜電極２２Ａに直流電源２６により直流バイアス電圧が印加される。このように、振動膜電極２２Ａに直流バイアス電圧を印加し、前面側固定電極２０Ａと背面側固定電極２０Ｂとに、互いに位相が反転した駆動信号（交流信号）を印加することによって、振動膜２２には静電吸引力及び静電反発力が同方向に同時に作用する。駆動信号（交流信号）の極性が反転する毎に、上記静電吸引力及び静電反発力の作用する方向が変化するために振動膜２２がプッシュプル駆動される。この結果、振動膜で発生した音波は前面側固定電極２０Ａと背面側固定電極２０Ｂに設けられた貫通孔２４を通じて外部へ放出される。
【００９０】
図１２は、静電型超音波トランスデューサを使用した超音波スピーカの駆動回路の構成例を示す図である。図１２において、可聴波周波数帯の信号波を生成する可聴周波数波信号源（オーディオ信号源）３１と、超音波周波数帯のキャリア波を生成し出力するキャリア波信号源３２と、変調器３３とにより、キャリア波信号源３２から出力される超音波周波数帯のキャリア波を変調器３３により変調し、この変調信号を超音波スピーカ４の入力信号とする。
【００９１】
超音波スピーカ４は、超音波周波数帯のキャリア波にオーディオ信号（可聴領域信号）でＡＭ変調をかけた変調信号を空気中に放出するものであり、これを空中に放出すると空気の非線形性により、空中で元のオーディオ信号が自己再生される、というものである。
つまり音波は空気を媒体として伝播する粗密波であるので、変調された超音波が伝播する過程で、空気の密な部分と疎な部分とが顕著に表れ、密な部分は音速が速く、疎な部分は音速が遅くなるので変調波自身に歪が生じ、その結果キャリア波（超音波）と可聴波（元オーディオ信号）に波形分離され、我々人間は２０ｋＨｚ以下の可聴音（元オーディオ信号）のみを聴くことができるという原理であり、一般にはパラメトリックアレイ効果と呼ばれている。
【００９２】
図１２に示す超音波スピーカ４が、図６に示した回路構成と異なっているのは、出力トランスＴの２次側巻線にセンタータップを設け、センタータップを基準にして直流バイアス電圧を静電型超音波トランスデューサ３の振動膜電極に印加するように構成している点である。図１１に示した静電型超音波トランスデューサ３は、図１２に示すように、二つの静電容量ＣＬ１、ＣＬ２が直列に接続された等価回路で表すことができ、その直列接続点が振動膜電極２２Ａ（図１１）に相当する。
【００９３】
図１２のように出力トランスＴと静電型超音波トランスデューサ３を接続することによって、両固定電極には互いに位相の反転した振幅の等しい交番電圧が印加されるため、歪みの小さい音波を出力することができる。
【００９４】
以上に述べたように、本発明では、ＬＣローパスフィルタと出力トランス及び負荷静電容量とで構成する出力フィルタと、Ｄ級アンプとを組み合わせ、さらにＬＣローパスフィルタの後段から負帰還をかけることによって、負荷抵抗（ダンパ抵抗）を接続しなくても平坦な出力周波数特性を実現することができる。これにより、負荷抵抗での損失とパワーアンプの出力段素子での損失とを同時に減らすことができ、負荷を含めた回路全体を非常に高効率で駆動することができる。
【００９５】
また、ＬＣローパスフィルタの後ろ、出力トランスの前から負帰還をかけることにより、負荷静電容量が変動しても安定でばらつきの小さい平坦な出力周波数特性（通過特性）を実現することができる。従って、広帯域に亘って静電型トランスデューサを安定的に駆動することができる。特に、本発明の静電型トランスデューサ回路を超音波スピーカとして使用する場合には、平坦な出力特性による再生音質の向上を図ることができる。
【００９６】
［第２の実施の形態］
次に、本発明の第２の実施の形態について説明する。
図１３は、ゲート駆動回路、Ｄ級出力段、ＬＣフィルタを２組ずつ用い、平衡出力で駆動するフルブリッジの回路構成例を示したものである。
【００９７】
ゲート駆動回路Ａ１３１とゲート駆動回路Ｂ１３２には互いに位相が反転したＰＷＭ信号が、ＰＷＭ変調回路１２Ａから供給され、Ｄ級出力段Ａ１４１とＤ級出力段Ｂ１４２とは位相が互いに反転した状態でスイッチング動作する。ＬＣローパスフィルタであるＬＰＦＡ１５１とＬＰＦＢ１５２から得られる出力は平衡出力となる。
【００９８】
位相補償回路Ａ１７１、位相補償回路Ｂ１７２では、ＬＰＦＡ１５１、ＬＰＦ１５２の出力に対してそれぞれ進み位相補償を行う。同時に差動アンプ１６１の入力レベルまで電圧を減衰させ、両者の差電圧を差動アンプ１６１で増幅した後、誤差増幅回路１１の反転入力端子に入力するように構成されている。
【００９９】
回路定数の設定に際しては、ＬＰＦＡ１５１、ＬＰＦＢ１５２のインダクタンス成分Ｌ１、Ｌ２については直列、キャパシタンス成分Ｃ１、Ｃ２については並列として合成することで、図３に示した等価回路をそのまま使って計算することができる。
【０１００】
このように、フルブリッジ構成とすることにより、駆動回路を構成する部品点数は増えるが、大きな出力を出すことができるようになる。さらに、ハーフブリッジの場合と同じ出力を出すために必要なＰＷＭ変調度を低くすることができるので、回路素子のＡＣ特性や、駆動回路のゲイン設計に余裕ができ、特性を高域まで伸ばし易くなる。また出力回路系及びフィードバック回路系が平衡動作するため、コモンモードノイズの影響を受けにくくすることができるようになる。
【０１０１】
［第３の実施の形態］
次に、本発明の第３の実施の形態について説明する。
図１４は、ＬＰＦＡ１５１、ＬＰＦＢ１５２からの平衡出力を差動アンプ１６１で増幅した後、Ａ／Ｄコンバータ１６２でデジタル値に変換し、入力信号との誤差検出からＰＷＭ変調までの一連の処理は全てデジタル処理で行う構成を示したものである。誤差演算器１１Ｂは入力信号とフィードバック信号との誤差を検出し、制御器１１Ｃは入出力間（入力信号ＩＮとＦＢ信号）の誤差が０になるようにＰＷＭ変調度を制御する。ＰＷＭ変調回路１２Ａは制御器１１Ｃからの出力をＰＷＭ変調する。
【０１０２】
なお、誤差演算器１１Ｂ、制御器１１Ｃ、ＰＷＭ変調回路１２Ａは、ＤＳＰ（Digital Signal Processor）やＣＰＵなどの演算処理装置、もしくはロジック回路で構成されている。
【０１０３】
このように、フィードバック信号をデジタル化することによって、制御回路系、ＰＷＭ変調回路系をデジタル回路（演算装置）で実現することができるため、高度な信号処理や制御を行うことができるようになる。
【０１０４】
［第４の実施の形態］
次に、本発明の第４の実施の形態について説明する。
図１５は、図１４のフィードバック回路系の構成を具体化した一例を示したものである。
【０１０５】
図１５に示す構成例では、抵抗Ｒ１とコンデンサＣ３、及び抵抗Ｒ２とコンデンサＣ４で位相進み補償回路を構成し、抵抗Ｒ１とＲ３、及び抵抗Ｒ２とＲ４で電圧を減衰させるアッテネータ（分圧回路）を構成する。抵抗Ｒ５、Ｒ６は差動アンプの入力抵抗で、抵抗比「Ｒ７／Ｒ５」、「Ｒ８／Ｒ６」で差動アンプ１６１のゲインを設定している。
【０１０６】
差動アンプ１６１の平衡出力は、差動入力を有するＡ／Ｄコンバータ１６２の差動入力端子に入力され、Ａ／Ｄコンバータ１６２でＡ／Ｄ変換が行われる。抵抗Ｒ９、Ｒ１０で構成する分圧回路は、差動アンプの基準電圧（オフセット電圧）を与える。フルブリッジの構成の場合、フィードバック信号が平衡信号となるので、Ａ／Ｄコンバータに直接平衡信号を供給することができるようになり、Ａ／Ｄ変換時のＳ／Ｎ比を高くすることができる。
【０１０７】
またインダクタンスＬ３は、出力トランスＴの漏洩インダクタンス成分を補うために、外付けコイルとして追加したインダクタンス成分である。出力トランスＴの漏洩インダクタンスが大きくなると、共振周波数ｆ３、ｆ４の位置が低域側に移動するため、ＬＣローパスフィルタ（ＬＰＦ）のスイッチング・キャリアの除去性能を高くすることができる。ここで、出力トランスＴ側で漏洩インダクタンス成分を作りこむのではなく、漏洩インダクタンスに対応するインダクタンス成分を外付けコイルとして追加することによって、漏洩インダクタンスに相当する成分の調整が容易になる。
【０１０８】
［第５の実施の形態］
次に、本発明の第５の実施の形態について説明する。
図１６は、図１１に示したような静電型超音波トランスデューサを負荷として駆動する場合の回路構成例を示したものである。
【０１０９】
図１６に示す構成例においては、出力トランスＴの２次側巻線にセンタータップを設け、センタータップを基準にして直流バイアス電圧（ＶＢＩＡＳ）を静電型超音波トランスデューサ３の振動膜電極に印加するように構成している点以外は、図１５と同様である。
【０１１０】
このような構成により、Ｄ級パワーアンプを使用してプッシュプル型の静電型トランスデューサを駆動する場合において、低損失でありながら、駆動周波数帯域において平坦な周波数特性を実現することができる。
【０１１１】
［第６の実施の形態］
次に、本発明の静電型トランスデューサを有し、超音波周波数帯域の信号で駆動される静電型超音波トランスデューサ（以下、単に「超音波トランスデューサ」ともいう）を使用した表示装置の例について説明する。
【０１１２】
図１７は、表示装置の一例として、超音波スピーカを内蔵したプロジェクタを例に取ったものであり、その使用状態を示したものである。同図に示すように、プロジェクタ２０１は視聴者２０３の後方に設置され、視聴者２０３の前方に設置されたスクリーン２０２に映像を投影するとともに、プロジェクタ２０１に搭載されている超音波スピーカによりスクリーン２０２の投影面に仮想音源を形成し、音声を再生するようになっている。なお、プロジェクタスクリーン上に仮想音源を形成する超音波スピーカを用いた音響装置や、超音波スピーカを内蔵したプロジェクタ等は指向性音響システムとも呼ばれている。
【０１１３】
プロジェクタ２０１の外観構成を図１８に示す。プロジェクタ２０１は、映像をスクリーン等の投影面に投影する投影光学系を含むプロジェクタ本体２２０と、超音波周波数帯の音波を発振できる超音波トランスデューサ２２４Ａ、２２４Ｂを含んで構成され、音響ソースから供給される音声信号から可聴周波数帯の信号音を再生する超音波スピーカとが一体的に構成されている。本実施形態では、ステレオ音声信号を再生するために、投影光学系を構成するプロジェクタレンズ２３１を挟んで左右に超音波スピーカを構成する超音波トランスデューサ２２４Ａ、２２４Ｂがプロジェクタ本体に搭載されている。
【０１１４】
さらに、プロジェクタ本体２２０の底面には低音再生用スピーカ２２３が設けられている。また、２２５は、プロジェクタ本体２２０の高さ調整を行うための高さ調節ねじ、２２６は、空冷フアン用の排気口である。
【０１１５】
また、プロジェクタ２０１では、超音波スピーカを構成する超音波トランスデューサ２２４Ａ、２２４Ｂに本発明による静電型トランスデューサを使用している。この超音波トランスデューサ２２４Ａ、２２４Ｂは、Ｄ級パワーアンプ、フィルタ、トランス等を含む負帰還制御付きの駆動回路で駆動され、平坦な出力周波数特性を実現しながら、駆動回路全体の損失を小さくできるように構成されている。これにより、広周波数帯域の音響信号（超音波周波数帯の音波）を高音圧で発振することができる。
【０１１６】
そして、キャリア波の周波数を変更することにより可聴周波数帯の再生信号の空間的な再生範囲を制御することにより、ステレオサラウンドシステムや５．１ｃｈサラウンドシステム等で得られるような音響効果を、従来必要であった大掛かりな音響システムを必要とすることなく実現でき、かつ持ち運びが容易なプロジェクタを実現することができる。
【０１１７】
次に、プロジェクタ２０１の電気的構成を図１９に示す。プロジェクタ２０１は、操作入力部２１０と、再生範囲設定部２１２、再生範囲制御処理部２１３、音声／映像信号再生部２１４、キャリア波発振源２１６、変調器２１８Ａ、２１８Ｂ、駆動回路部２２２Ａ、２２２Ｂ及び超音波トランスデューサ２２４Ａ、２２４Ｂからなる超音波スピーカと、ハイパスフィルタ２１７Ａ、２１７Ｂと、ローパスフィルタ２１９と、ミキサ２２１と、パワーアンプ２２２Ｃと、低音再生用スピーカ２２３と、プロジェクタ本体２２０とを有している。なお、駆動回路部２２２Ａ、２２２Ｂは、図１、図６、図７、図１３、図１４、図１５、および図１６等に示す、容量性負荷（静電型トランスデューサ）の駆動回路である。
【０１１８】
プロジェクタ本体２２０は、映像を生成する映像生成部２３２と、生成された映像を投影面に投影する投影光学系２３３とを有している。このように、プロジェクタ２０１は、超音波スピーカ及び低音再生用スピーカ２２３と、プロジェクタ本体２２０とが一体化されて構成されている。
【０１１９】
操作入力部２１０は、テンキー、数字キー、電源のオン、オフをおこなうための電源キーを含む各種機能キーを有している。再生範囲設定部２１２は、ユーザが操作入力部２１０をキー操作することにより再生信号（信号音）の再生範囲を指定するデータを入力できるようになっており、該データが入力されると、再生信号の再生範囲を規定するキャリア波の周波数が設定され、保持されるようになっている。再生信号の再生範囲の設定は、超音波トランスデューサ２２４Ａ、２２４Ｂの音波放射面から放射軸方向に再生信号が到達する距離を指定することにより行われる。
【０１２０】
また、再生範囲設定部２１２は、音声／映像信号再生部２１４より映像内容に応じて出力される制御信号によりキャリア波の周波数が設定できるようになっている。
また、再生範囲制御処理部２１３は、再生範囲設定部２１２の設定内容を参照し、設定された再生範囲となるようキャリア波発振源２１６により生成されるキャリア波の周波数を変更するようにキャリア波発振源２１６を制御する機能を有する。
例えば、再生範囲設定部２１２の内部情報として、キャリア波周波数が５０ｋＨｚに対応する上記距離が設定されている場合、キャリア波発振源２１６に対して５０ｋＨｚで発振するように制御する。
【０１２１】
再生範囲制御処理部２１３は、再生範囲を規定する超音波トランスデューサ２２４Ａ、２２４Ｂの音波放射面から放射軸方向に再生信号が到達する距離とキャリア波の周波数との関係を示すテーブルが予め記憶されている記憶部を有している。このテーブルのデータは、キャリア波の周波数と上記再生信号の到達距離との関係を実際に計測することにより得られる。
再生範囲制御処理部２１３は、再生範囲設定部２１２の設定内容に基づいて、上記テーブルを参照して設定された距離情報に対応するキャリア波の周波数を求め、該周波数となるようにキャリア波発振源２１６を制御する。
【０１２２】
音声／映像信号再生部２１４は、例えば、映像媒体としてＤＶＤを用いるＤＶＤプレーヤーであり、再生した音声信号のうちＲチャンネルの音声信号は、ハイパスフィルタ２１７Ａを介して変調器２１８Ａに、Ｌチャンネルの音声信号はハイパスフィルタ２１７Ｂを介して変調器２１８Ｂに、映像信号はプロジェクタ本体２２０の映像生成部２３２にそれぞれ、出力されるようになっている。
また、音声／映像信号再生部２１４より出力されるＲチャンネルの音声信号とＬチャンネルの音声信号は、ミキサ２２１により合成され、ローパスフィルタ２１９を介してパワーアンプ２２２Ｃに入力されるようになっている。音声／映像信号再生部２１４は、音響ソースに相当する。
【０１２３】
ハイパスフィルタ２１７Ａ、２１７Ｂは、それぞれ、Ｒチャンネル、Ｌチャンネルの音声信号における中高音域の周波数成分のみを通過させる特性を有しており、またローパスフィルタは、Ｒチャンネル、Ｌチャンネルの音声信号における低音域の周波数成分のみを通過させる特性を有している。
したがって、上記Ｒチャンネル、Ｌチャンネルの音声信号のうち中高音域の音声信号は、それぞれ超音波トランスデューサ２２４Ａ、２２４Ｂにより再生され、上記Ｒチャンネル、Ｌチャンネルの音声信号のうち低音域の音声信号は低音再生用スピーカ２２３により再生されることとなる。
【０１２４】
なお、音声／映像信号再生部２１４はＤＶＤプレーヤーに限らず、外部から入力されるビデオ信号を再生する再生装置であってもよい。また、音声／映像信号再生部２１４は、再生される映像のシーンに応じた音響効果を出すために再生音の再生範囲を動的に変更するように、再生範囲設定部２１２に再生範囲を指示する制御信号を出力する機能を有している。
【０１２５】
キャリア波発振源２１６は、再生範囲設定部２１２より指示された超音波周波数帯の周波数のキャリア波を生成し、変調器２１８Ａ、２１８Ｂに出力する機能を有している。
変調器２１８Ａ、２１８Ｂは、キャリア波発振源２１６から供給されるキャリア波を音声／映像信号再生部２１４から出力される可聴周波数帯の音声信号でＡＭ変調し、該変調信号を、それぞれ駆動回路部２２２Ａ、２２２Ｂに出力する機能を有する。
【０１２６】
超音波トランスデューサ２２４Ａ、２２４Ｂは、それぞれ、変調器２１８Ａ、２１８Ｂから駆動回路部２２２Ａ、２２２Ｂを介して出力される変調信号により駆動され、該変調信号を有限振幅レベルの音波に変換して媒質中に放射し、可聴周波数帯の信号音（再生信号）を再生する機能を有する。
【０１２７】
映像生成部２３２は、液晶ディスプレイ、プラズマディスプレイパネル（ＰＤＰ）等のディスプレイと、該ディスプレイを音声／映像信号再生部２１４から出力される映像信号に基づいて駆動する駆動回路等を有しており、音声／映像信号再生部２１４から出力される映像信号から得られる映像を生成する。
投影光学系２３３は、ディスプレイに表示された映像をプロジェクタ本体２２０の前方に設置されたスクリーン等の投影面に投影する機能を有している。
【０１２８】
次に、上記構成からなるプロジェクタ２０１の動作について説明する。まず、ユーザのキー操作により操作入力部２１０から再生信号の再生範囲を指示するデータ（距離情報）が再生範囲設定部２１２に設定され、音声／映像信号再生部２１４に再生指示がなされる。
【０１２９】
この結果、再生範囲設定部２１２には、再生範囲を規定する距離情報が設定され、再生範囲制御処理部２１３は、再生範囲設定部２１２に設定された距離情報を取り込み、内蔵する記憶部に記憶されているテーブルを参照し、上記設定された距離情報に対応するキャリア波の周波数を求め、該周波数のキャリア波を生成するようにキャリア波発振源２１６を制御する。
この結果、キャリア波発振源２１６は、再生範囲設定部２１２に設定された距離情報に対応する周波数のキャリア波を生成し、変調器２１８Ａ、２１８Ｂに出力する。
【０１３０】
一方、音声／映像信号再生部２１４は、再生した音声信号のうちＲチャンネルの音声信号を、ハイパスフィルタ２１７Ａを介して変調器２１８Ａに、Ｌチャンネルの音声信号をハイパスフィルタ２１７Ｂを介して変調器２１８Ｂに、Ｒチャンネルの音声信号及びＬチャンネルの音声信号をミキサ２２１に出力し、映像信号をプロジェクタ本体２２０の映像生成部２３２にそれぞれ、出力する。
【０１３１】
したがって、ハイパスフィルタ２１７Ａにより上記Ｒチャンネルの音声信号のうち中高音域の音声信号が変調器２１８Ａに入力され、ハイパスフィルタ２１７Ｂにより上記Ｌチャンネルの音声信号のうち中高音域の音声信号が変調器２１８Ｂに入力される。
また、上記Ｒチャンネルの音声信号及びＬチャンネルの音声信号はミキサ２２１により合成され、ローパスフィルタ２１９により上記Ｒチャンネルの音声信号及びＬチャンネルの音声信号のうち低音域の音声信号がパワーアンプ２２２Ｃに入力される。
【０１３２】
映像生成部２３２では、入力された映像信号に基づいてディスプレイを駆動して映像を生成し、表示する。このディスプレイに表示された映像は、投影光学系２３３により、投影面、例えば、図１７に示すスクリーン２０２に投影される。
他方、変調器２１８Ａは、キャリア波発振源２１６から出力されるキャリア波をハイパスフィルタ２１７Ａから出力される上記Ｒチャンネルの音声信号における中高音域の音声信号でＡＭ変調し、駆動回路部２２２Ａに出力する。
また、変調器２１８Ｂは、キャリア波発振源２１６から出力されるキャリア波をハイパスフィルタ２１７Ｂから出力される上記Ｌチャンネルの音声信号における中高音域の音声信号でＡＭ変調し、駆動回路部２２２Ｂに出力する。
【０１３３】
駆動回路部２２２Ａ、２２２Ｂにより増幅された変調信号は、それぞれ、超音波トランスデューサ２２４Ａ、２２４Ｂの前面側固定電極１０Ａと背面側固定電極１０Ｂ（図１１を参照）との間に印加され、該変調信号は、有限振幅レベルの音波（音響信号）に変換され、媒質（空気中）に放射され、超音波トランスデューサ２２４Ａからは、上記Ｒチャンネルの音声信号における中高音域の音声信号が再生され、超音波トランスデューサ２２４Ｂからは、上記Ｌチャンネルの音声信号における中高音域の音声信号が再生される。
また、パワーアンプ２２２Ｃで増幅された上記Ｒチャンネル及びＬチャンネルにおける低音域の音声信号は低音再生用スピーカ２２３により再生される。
【０１３４】
前述したように、静電型超音波トランスデューサにより媒質中（空気中）に放射された超音波の伝播においては、その伝播に伴い音圧の高い部分では音速が高くなり、音圧の低い部分では音速は遅くなる。この結果、波形の歪みが発生する。
放射する超音波帯域の信号（キャリア波）を可聴周波数帯の信号で変調（ＡＭ変調）しておいた場合には、上記波形歪みの結果により、変調時に用いた可聴周波数帯の信号波が超音波周波数帯のキャリア波と分離して自己復調する形で形成される。その際、再生信号の広がりは超音波の特性からビーム状となり、通常のスピーカとは全く異なる特定方向のみに音が再生される。
【０１３５】
超音波スピーカを構成する超音波トランスデューサ２２４Ａ、２２４Ｂから出力されるビーム状の再生信号は、投影光学系２３３により映像が投影される投影面（スクリーン）に向けて放射され、投影面で反射され拡散する。この場合に、再生範囲設定部２１２に設定されるキャリア波の周波数に応じて、超音波トランスデューサ２２４Ａ、２２４Ｂの音波放射面からその放射軸方向（法線方向）においてキャリア波から再生信号が分離されるまでの距離、キャリア波のビーム幅（ビームの拡がり角）が異なるために、再生範囲は、変化する。
【０１３６】
プロジェクタ２０１における超音波トランスデューサ２２４Ａ、２２４Ｂを含んで構成される超音波スピーカによる再生信号の再生時の状態を図２０に示す。プロジェクタ２０１において、キャリア波が音声信号により変調された変調信号により超音波トランスデューサが駆動される際に、再生範囲設定部２１２により設定されたキャリア周波数が低い場合は、超音波トランスデューサ２２４Ａ、２２４Ｂの音波放射面からその放射軸方向（音波放射面の法線方向）においてキャリア波から再生信号が分離されるまでの距離、すなわち、再生地点までの距離が長くなる。
【０１３７】
したがって、再生された可聴周波数帯の再生信号のビームは、比較的拡がらずに投影面（スクリーン）２０２に到達することとなり、この状態で投影面２０２において反射するので、再生範囲は、図２０において点線の矢印で示す可聴範囲Ａとなり、投影面２０２から比較的に遠くかつ狭い範囲でのみ再生信号（再生音）が聞こえる状態となる。
【０１３８】
これに対して、再生範囲設定部２１２により設定されたキャリア周波数が上述した場合より高い場合は、超音波トランスデューサ２２４Ａ、２２４Ｂの音波放射面から放射される音波は、キャリア周波数が低い場合より絞られているが、超音波トランスデューサ２２４Ａ、２２４Ｂの音波放射面からその放射軸方向（音波放射面の法線方向）においてキャリア波から再生信号が分離されるまでの距離、すなわち、再生地点までの距離が短くなる。
【０１３９】
したがって、再生された可聴周波数帯の再生信号のビームは、投影面２０２に到達する前に拡がって投影面２０２に到達することとなり、この状態で投影面２０２において反射するので、再生範囲は、図２０において実線の矢印で示す可聴範囲Ｂとなり、投影面２０２から比較的に近くかつ広い範囲でのみ再生信号（再生音）が聞こえる状態となる。
【０１４０】
以上説明したように、本発明の表示装置（プロジェクタ等）では、本発明による静電型トランスデューサの駆動回路を備えた超音波スピーカを使用しており、この超音波スピーカを、駆動周波数帯域において平坦な出力周波数特性を確保しながら、低損失で駆動することができる。このため音響信号を十分な音圧と広帯域特性を持って、スクリーン等の音波反射面近傍に形成される仮想音源から発せられるように再生できる。また、その再生範囲の制御も容易に行えるようになる。
【０１４１】
なお、上述したプロジェクタは、大画面で画像を見たい場合に使用されものであるが、近時、大画面液晶テレビや大画面プラズマテレビが急速に普及しており、それらの大画面テレビにも、本発明の静電型トランスデューサを使用した超音波スピーカを効果的に使用することができる。
【０１４２】
すなわち、大画面テレビに超音波スピーカを使用することにより、大画面テレビの前方に向けて局所的に音声信号を放射することが可能になる。
【０１４３】
以上、本発明の実施の形態について説明したが、本発明の容量性負荷の駆動回路、静電型トランスデューサ、および表示装置は、上述の図示例にのみ限定されるものではなく、本発明の要旨を逸脱しない範囲内において種々変更を加え得ることは勿論である。
【図面の簡単な説明】
【０１４４】
【図１】本発明の容量性負荷の駆動回路の構成例を示す図。
【図２】各部の動作波形の一例を示す図。
【図３】出力回路部分の等価回路を示す図。
【図４】図３に示す回路のゲイン周波数特性曲線を示す図。
【図５】４Ωの抵抗をＣＬ１と直列に接続した場合のゲイン−位相特性を示す図。
【図６】本発明の容量性負荷の駆動回路の具体的な構成例を示す図。
【図７】本発明の容量性負荷の駆動回路の回路構成と定数設定の一例を示す図。
【図８】図７に示す回路のループ、位相特性を示す図。
【図９】図７に示す回路の負荷端子電圧（出力電圧）の周波数特性を示す図。
【図１０】負荷変動に応じた出力電圧周波数特性を示す図。
【図１１】静電型超音波トランスデューサの構造の一例を示す図。
【図１２】超音波スピーカの構成例を示す図。
【図１３】アナログ制御によるフルブリッジの回路構成例を示す図。
【図１４】デジタル制御によるフルブリッジの回路構成例を示す図。
【図１５】図１４に示す回路の具体的な構成例を示す図。
【図１６】静電型超音波トランスデューサを負荷とする場合の回路構成例を示す図。
【図１７】本発明の実施形態に係るプロジェクタの使用状態を示す図。
【図１８】図１７に示したプロジェクタの外観構成を示す図。
【図１９】図１７に示したプロジェクタの電気的構成を示すブロック図。
【図２０】超音波トランスデューサによる再生信号の再生状態の説明図。
【図２１】シングルエンド・プッシュプル回路の例を示す図。
【図２２】アナログパワーアンプで発生する電力損失の例を示す図。
【図２３】Ｄ級パワーアンプの一般的な構成例を示す図。
【図２４】２次のＬＣローパスフィルタの周波数特性を示す図。
【符号の説明】
【０１４５】
１、２…容量性負荷の駆動回路、３…静電型超音波トランスデューサ、４…超音波スピーカ、１１…誤差増幅回路、１１Ａ…比例積分回路、１１Ｂ…誤差演算器、１１Ｃ…制御器、１２…変調回路、１２Ａ…ＰＷＭ変調回路、１３…ゲート駆動回路、１４…Ｄ級出力段、１５…ＬＣローパスフィルタ、１６…負帰還回路、１６ａ…ＲＣ並列回路、１７…位相補償回路、１８…積分器、１９…増幅器、２０…固定電極、２０Ａ…前面側固定電極、２０Ｂ…背面側固定電極、２１…支持部材、２２…振動膜、２２Ａ…振動膜電極、２２Ｂ…絶縁膜、２４、２４Ａ、２４Ｂ…貫通孔、２６…直流電源、２８Ａ、２８Ｂ…交流信号、３１…可聴周波数信号源、３２…キャリア波信号源、３３…変調器、ＣＬ、ＣＬ１、ＣＬ２…負荷静電容量、Ｌ、Ｌ１、Ｌ２、Ｌ３…インダクタンス、ＬＬ…漏洩インダクタンス、Ｍ…相互インダクタンス、ＲＬ…負荷抵抗、Ｔ…出力トランス、１３１…ゲート駆動回路Ａ、１３２…ゲート駆動回路Ｂ、１４１…Ｄ級出力段Ａ、１４２…Ｄ級出力段Ｂ、１５１…ローパスフィルタ（ＬＰＦＡ）、１５２…ローパスフィルタ（ＬＰＦＢ）、１６１…差動アンプ、１６２…Ａ／Ｄコンバータ、１７１…位相補償回路Ａ、１７２…位相補償回路Ｂ、２０１…プロジェクタ、２０２…スクリーン、２０３…視聴者、２１０…操作入力部、２１２…再生範囲設定部、２１３…再生範囲制御処理部、２１４…音声／映像信号再生部、２１６…キャリア波発振源、２１７Ａ、２１７Ｂ…ハイパスフィルタ、２１８Ａ、２１８Ｂ…変調器、２１９…ローパスフィルタ、２２０…プロジェクタ本体、２２１…ミキサ、２２２Ａ、２２２Ｂ…駆動回路部、２２２Ｃ…パワーアンプ、２２３…低音再生用スピーカ、２２４Ａ、２２４Ｂ…静電型超音波トランスデューサ、２３１…プロジェクタレンズ、２３２…映像生成部、２３３…投影光学系
【図１】
2007181176.tif 000007
【図２】
2007181176.tif 000008
【図３】
2007181176.tif 000009
【図４】
2007181176.tif 000010
【図５】
2007181176.tif 000011
【図６】
2007181176.tif 000012
【図７】
2007181176.tif 000013
【図８】
2007181176.tif 000014
【図９】
2007181176.tif 000015
【図１０】
2007181176.tif 000016
【図１１】
2007181176.tif 000017
【図１２】
2007181176.tif 000018
【図１３】
2007181176.tif 000019
【図１４】
2007181176.tif 000020
【図１５】
2007181176.tif 000021
【図１６】
2007181176.tif 000022
【図１７】
2007181176.tif 000023
【図１８】
2007181176.tif 000024
【図１９】
2007181176.tif 000025
【図２０】
2007181176.tif 000026
【図２１】
2007181176.tif 000027
【図２２】
2007181176.tif 000028
【図２３】
2007181176.tif 000029
【図２４】
2007181176.tif 000030